(57)【要約】【課題】  格段と効率的にコンテンツデータを取得し得るようにする。【解決手段】  クライアント端末２は、記憶保持している音楽データの識別情報が示された所有音楽リストデータＬＤ１と、音楽データ配信サーバＳＶ１からの上位５０曲リストデータＬＤ２とを比較することにより、上位５０曲リストデータＬＤ２に示されている音楽データであって自身のハードディスクドライブ２１１に記憶保持していない音楽データの識別情報を認識し、当該認識した識別情報に対応する音楽データを音楽データ配信サーバＳＶ１から自動的に取得する。【選択図】          図１
2005332175.tif 000002
【特許請求の範囲】
【請求項１】
コンテンツデータを提供するコンテンツデータ提供装置に対してユーザのユーザ情報を含む接続要求情報を送信する接続要求手段と、
上記接続要求情報に応じて上記コンテンツデータ提供装置から返信された認証結果情報を受信すると、上記コンテンツデータ提供装置により提供可能な上記コンテンツデータが示された提供コンテンツリストデータを要求するためのリストデータ要求情報を送信するリストデータ要求手段と、
上記リストデータ要求情報を受信した上記コンテンツデータ提供装置が上記ユーザの契約情報を確認した後に送信した上記提供コンテンツリストデータを受信すると、当該受信した提供コンテンツリストデータと、記憶手段により既に記憶保持しているコンテンツデータが示された所有コンテンツリストデータとを比較することにより、上記所有コンテンツリストデータに示されていない上記コンテンツデータを認識し、当該認識したコンテンツデータを要求するためのコンテンツデータ要求情報を送信するコンテンツデータ要求手段と、
上記コンテンツデータ要求情報に応じて上記コンテンツデータ提供装置から提供される上記コンテンツデータを取得するコンテンツデータ取得手段と
を具えることを特徴とする端末装置。
【請求項２】
上記記憶手段は、取得する必要のない上記コンテンツデータの条件が示された条件情報を記憶し、上記コンテンツデータ要求手段は、上記条件情報に該当する上記コンテンツデータを除いた上記コンテンツデータを要求するための上記コンテンツデータ要求情報を送信する
ことを特徴とする請求項１に記載の端末装置。
【請求項３】
上記コンテンツデータ提供装置から上記提供コンテンツリストデータを受信すると、上記記憶手段により記憶保持している上記コンテンツデータのうち、当該受信した提供コンテンツリストデータに示されていない上記コンテンツデータを消去する
ことを特徴とする請求項１に記載の端末装置。
【請求項４】
端末装置のユーザのユーザ情報と、当該ユーザ情報に対応するサービス利用履歴情報と、コンテンツデータの自動取得サービスを享受できるか否かを示す契約情報と、提供コンテンツリストデータの作成条件とを関連付けて記憶する第１のデータベースと、
複数のコンテンツデータを記憶する第２のデータベースと、
上記作成条件に対応する上記コンテンツデータを上記サービス利用履歴情報に基づき検出し、当該検出結果に基づいて上記提供コンテンツリストデータを作成するリストデータ作成手段と、
上記端末装置からの接続要求情報に示されるユーザ情報と上記第１のデータベースに記憶された上記ユーザ情報とを比較する認証処理を実行し、当該認証処理の結果を示した認証結果情報を上記端末装置に対して返信する認証結果返信手段と、
上記認証結果情報を受信した上記端末装置から、上記提供コンテンツリストデータを要求するリストデータ要求情報を受信すると、当該端末装置のユーザに対応する上記第１のデータベース中の上記契約情報を確認し、当該確認した契約情報に基づいて上記作成した提供コンテンツリストデータを当該端末装置に対して送信するリストデータ送信手段と、
上記送信した提供コンテンツリストデータに示される上記コンテンツデータのうちの少なくとも一部のコンテンツデータを要求するコンテンツデータ要求情報を受信すると、当該コンテンツデータ要求情報により要求される上記コンテンツデータを上記第２のデータベースから読み出して上記端末装置に対して提供するコンテンツデータ提供手段と
を具えることを特徴とするコンテンツデータ提供装置。
【請求項５】
上記リストデータ作成手段は、上記サービス利用履歴情報に基づいてこれまで提供された上記コンテンツデータの提供回数を認識し、当該提供回数の多い上記コンテンツデータを優先的に上記提供コンテンツリストデータに示す
ことを特徴とする請求項４に記載のコンテンツデータ提供装置。
【請求項６】
コンテンツデータを提供するコンテンツデータ提供装置から上記コンテンツデータを取得する端末装置に対し、
上記コンテンツデータ提供装置に対してユーザのユーザ情報を含む接続要求情報を送信するステップと、
上記接続要求情報に応じて上記コンテンツデータ提供装置から返信された認証結果情報を受信すると、上記コンテンツデータ提供装置により提供可能な上記コンテンツデータが示された提供コンテンツリストデータを要求するためのリストデータ要求情報を送信するステップと、
上記リストデータ要求情報を受信した上記コンテンツデータ提供装置が上記ユーザの契約情報を確認した後に送信した上記提供コンテンツリストデータを受信すると、当該受信した提供コンテンツリストデータと、記憶手段により既に記憶保持しているコンテンツデータが示された所有コンテンツリストデータとを比較することにより、上記所有コンテンツリストデータに示されていない上記コンテンツデータを認識し、当該認識したコンテンツデータを要求するためのコンテンツデータ要求情報を送信するステップと、
上記コンテンツデータ要求情報に応じて上記コンテンツデータ提供装置から提供される上記コンテンツデータを取得するステップと
を実行させるためのコンテンツデータ取得プログラム。
【請求項７】
端末装置のユーザのユーザ情報と当該ユーザ情報に対応するサービス利用履歴情報とコンテンツデータの自動取得サービスを享受できるか否かを示す契約情報と提供コンテンツリストデータの作成条件とを関連付けて記憶する第１のデータベースと、複数のコンテンツデータを記憶する第２のデータベースとを有するコンテンツデータ提供装置に対し、
上記作成条件に対応する上記コンテンツデータを上記サービス利用履歴情報に基づき検出し、当該検出結果に基づいて上記提供コンテンツリストデータを作成するステップと、
上記端末装置からの接続要求情報に示されるユーザ情報と上記第１のデータベースに記憶された上記ユーザ情報とを比較する認証処理を実行し、当該認証処理の結果を示した認証結果情報を上記端末装置に対して返信するステップと、
上記認証結果情報を受信した上記端末装置から、上記提供コンテンツリストデータを要求するリストデータ要求情報を受信すると、当該端末装置のユーザに対応する上記第１のデータベース中の上記契約情報を確認し、当該確認した契約情報に基づいて上記作成した提供コンテンツリストデータを当該端末装置に対して送信するステップと、
上記送信した提供コンテンツリストデータに示される上記コンテンツデータのうちの少なくとも一部のコンテンツデータを要求するコンテンツデータ要求情報を受信すると、当該コンテンツデータ要求情報により要求される上記コンテンツデータを上記第２のデータベースから読み出して上記端末装置に対して提供するステップと
を実行させるためのコンテンツデータ提供プログラム。
【発明の詳細な説明】
【技術分野】
【０００１】
本発明は端末装置及びコンテンツデータ提供装置に関し、例えば、音楽データを提供する提供業者の音楽データ提供サーバから、インターネット等のネットワークを介して、ユーザの端末装置に対し音楽データを提供する場合に適用して好適なものである。
【背景技術】
【０００２】
近年、音楽データを提供する提供業者の音楽データ提供サーバから、インターネット等のネットワークを介して、ユーザの端末装置に対し音楽データを提供するようになされた音楽データ提供システムが普及している。
【０００３】
例えばこのような音楽データ提供システムとして、ユーザが所定の定額料金を支払えば音楽データ提供サーバから音楽データを自由に取得（ダウンロード）し得るようなものが提案されている。（例えば特許文献１）
【特許文献１】特開２００３−２２３５６９公報
【発明の開示】
【発明が解決しようとする課題】
【０００４】
ところでかかる構成の音楽データ提供システムにおいては、ユーザが端末装置を操作して提供業者のＷｅｂページにアクセスし、当該Ｗｅｂページに示された多数の音楽データの中から所望の音楽データを選択すると、その提供業者の音楽データ提供サーバから当該選択された音楽データが端末装置に対してダウンロードされるようになされている。
【０００５】
従ってユーザは、音楽データを自身の端末装置にダウンロードする際、Ｗｅｂページを介してダウンロードする音楽データをいちいち選択しなければならず、かくして音楽データをダウンロードする際の作業が煩雑になってしまう問題があった。
【０００６】
本発明は以上の点を考慮してなされたもので、格段と効率的にコンテンツデータを取得し得る端末装置及びコンテンツデータ提供装置を提案しようとするものである。
【課題を解決するための手段】
【０００７】
かかる課題を解決するため本発明においては、端末装置において、コンテンツデータを提供するコンテンツデータ提供装置に対してユーザのユーザ情報を含む接続要求情報を送信する接続要求手段と、接続要求情報に応じてコンテンツデータ提供装置から返信された認証結果情報を受信すると、コンテンツデータ提供装置により提供可能なコンテンツデータが示された提供コンテンツリストデータを要求するためのリストデータ要求情報を送信するリストデータ要求手段と、リストデータ要求情報を受信したコンテンツデータ提供装置がユーザの契約情報を確認した後に送信した提供コンテンツリストデータを受信すると、当該受信した提供コンテンツリストデータと、記憶手段により既に記憶保持しているコンテンツデータが示された所有コンテンツリストデータとを比較することにより、所有コンテンツリストデータに示されていないコンテンツデータを認識し、当該認識したコンテンツデータを要求するためのコンテンツデータ要求情報を送信するコンテンツデータ要求手段と、コンテンツデータ要求情報に応じてコンテンツデータ提供装置から提供されるコンテンツデータを取得するコンテンツデータ取得手段とを設けるようにした。
【０００８】
また本発明においては、コンテンツデータ提供装置において、端末装置のユーザのユーザ情報と、当該ユーザ情報に対応するサービス利用履歴情報と、コンテンツデータの自動取得サービスを享受できるか否かを示す契約情報と、提供コンテンツリストデータの作成条件とを関連付けて記憶する第１のデータベースと、複数のコンテンツデータを記憶する第２のデータベースと、作成条件に対応するコンテンツデータをサービス利用履歴情報に基づき検出し、当該検出結果に基づいて提供コンテンツリストデータを作成するリストデータ作成手段と、端末装置からの接続要求情報に示されるユーザ情報と第１のデータベースに記憶されたユーザ情報とを比較する認証処理を実行し、当該認証処理の結果を示した認証結果情報を端末装置に対して返信する認証結果返信手段と、認証結果情報を受信した端末装置から、提供コンテンツリストデータを要求するリストデータ要求情報を受信すると、当該端末装置のユーザに対応する第１のデータベース中の契約情報を確認し、当該確認した契約情報に基づいて作成した提供コンテンツリストデータを当該端末装置に対して送信するリストデータ送信手段と、送信した提供コンテンツリストデータに示されるコンテンツデータのうちの少なくとも一部のコンテンツデータを要求するコンテンツデータ要求情報を受信すると、当該コンテンツデータ要求情報により要求されるコンテンツデータを第２のデータベースから読み出して端末装置に対して提供するコンテンツデータ提供手段とを設けるようにした。
【０００９】
この結果この端末装置は、記憶保持しているコンテンツデータが示された所有コンテンツリストデータと、コンテンツデータ提供装置により提供可能なコンテンツデータが示された提供コンテンツリストデータとを比較することにより、コンテンツデータ提供装置から未だ取得していないコンテンツデータを認識し、当該認識したコンテンツデータをコンテンツデータ提供装置から自動的に取得することができる。
【発明の効果】
【００１０】
本発明によれば、端末装置は、記憶保持していないコンテンツデータをコンテンツデータ提供装置から自動的に取得することができるので、この結果、格段と効率的にコンテンツデータを取得することができる。
【発明を実施するための最良の形態】
【００１１】
以下図面について、本発明の一実施の形態を詳述する。
【００１２】
（１）音楽関連サービス提供システム
（１−１）システム構成
図１において、１は全体として音楽関連サービス提供システムを示し、この音楽関連サービス提供システム１の運営業者と契約しているユーザのクライアント端末２と、当該クライアント端末２を管理するポータルサーバ３と、当該クライアント端末２に対して音楽に関する各種サービスを提供する複数のサーバＳＶ１乃至ＳＶ５とを有している。
【００１３】
この実施の形態の場合、音楽データ配信サーバＳＶ１は、ＡＴＲＡＣ３（Adaptive Transform Acoustic Coding 3）、ＡＣＣ（Advanced Audio Coding ）、ＷＭＡ（Windows（登録商標） Media Audio ）、ＲｅａｌＡＵＤＩＯ  Ｇ２  Ｍｕｓｉｃ  Ｃｏｄｅｃ、ＭＰ３（MPEG Audio Layer-3）形式等でなる音楽データをクライアント端末２に配信する音楽データ配信サービスを提供する。
【００１４】
また物販サーバＳＶ２は、ＣＤ（Compact Disc）やＤＶＤ（Digital Versatile Disc）等をクライアント端末２を介してユーザに販売する物販サービスを提供する。
【００１５】
さらにラジオ放送情報配信サーバＳＶ３は、ラジオ局を介して放送されているラジオ放送のラジオ番組や音楽等についてのラジオ放送情報をクライアント端末２に配信するラジオ放送情報配信サービスを提供する。
【００１６】
さらにインターネットラジオサーバＳＶ４は、インターネットに相当するネットワークＮＴを介してラジオ放送データをストリーミング配信の形態でクライアント端末２に向けて放送するインターネットラジオ放送サービスを提供する。
【００１７】
これに加えて課金サーバＳＶ５は、ポータルサーバ３等からの要求に応じてユーザに対し様々な料金を課すための課金処理を実行するようになされている。
【００１８】
（１−２）クライアント端末２の構成
（１−２−１）クライアント端末２の機能回路ブロック構成
次にクライアント端末２の機能回路ブロックによるハードウェア構成を説明する。図２に示すようにクライアント端末２は、その筐体表面やリモートコントローラ（図示せず）に設けられた各種操作ボタンでなる操作入力部２０がユーザによって操作されると、当該操作入力部２０でこれを認識し、当該操作に応じた操作入力信号を入力処理部２１に送出する。
【００１９】
入力処理部２１は、操作入力部２０から与えられる操作入力信号を特定の操作コマンドに変換しバス２２を介して制御部２３に送出する。
【００２０】
制御部２３は、バス２２を介して接続された各回路から与えられる操作コマンドや制御信号に基づいてこれら各回路の動作を制御する。
【００２１】
表示制御部２４は、バス２２を介して供給される映像データに対してディジタルアナログ変換処理を施し、その結果得られるアナログ映像信号を表示部２５に送出する。
【００２２】
表示部２５は、例えば液晶ディスプレイ等の表示デバイスであって、筐体表面に直接取り付けられている場合や外付けされている場合がある。
【００２３】
そして表示部２５は、制御部２３による処理結果や各種映像データが表示制御部２４を介してアナログ映像信号として供給されると、当該アナログ映像信号に基づく映像を表示する。
【００２４】
音声制御部２６は、バス２２を介して供給される音声データに対してディジタルアナログ変換処理を施し、その結果得られるアナログ音声信号をスピーカ２７に送出する。スピーカ２７は、音声制御部２６から供給されるアナログ音声信号に基づく音声を出力する。
【００２５】
外部記録媒体記録再生部２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
【００２６】
外部記録媒体記録再生部２８は、外部記録媒体からコンテンツデータとして映像データを読み出したとき、当該読み出した映像データをバス２２を介して表示制御部２４に供給する。
【００２７】
これにより表示制御部２４は、外部記録媒体記録再生部２８により外部記録媒体からコンテンツデータとして読み出された映像データをアナログ映像信号に変換して表示部２５に供給する。
【００２８】
また外部記録媒体記録再生部２８は、外部記録媒体からコンテンツデータとして音声データを読み出したとき、当該読み出した音声データをバス２２を介して音声制御部２６に供給する。
【００２９】
これにより音声制御部２６は、外部記録媒体記録再生部２８により外部記録媒体からコンテンツデータとして読み出された音声データをアナログ音声信号に変換してスピーカ２７に供給する。
【００３０】
さらに制御部２３は、外部記録媒体記録再生部２８により外部記録媒体から読み出されたコンテンツデータをバス２２を介してクライアント端末２内部の記憶媒体２９に送出し、その記憶媒体２９に対して当該コンテンツデータを記憶する（以下、このようにコンテンツデータを記憶媒体２９に記憶することをリッピングと呼ぶ）ことができる。
【００３１】
そして制御部２３は、記憶媒体２９からコンテンツデータとしてイメージデータ又はビデオデータ等の映像データを読み出したときには、当該読み出した映像データをバス２２を介して表示制御部２４に供給する。
【００３２】
また制御部２３は、記憶媒体２９からコンテンツデータとしてオーディオデータ等の音声データを読み出したときには、当該読み出した音声データをバス２２を介して音声制御部２６に供給する。
【００３３】
これに加えて制御部２３は、記憶媒体２９から音楽データを読み出して外部記録媒体記録再生部２８に転送することにより当該外部記録媒体記録再生部２８により外部記録媒体に対しその音楽データを記録させることもできる。
【００３４】
放送信号受信部３０は、各ラジオ局から送信されるラジオ放送波を受信し、チューナ部３１に供給する。
【００３５】
チューナ部３１は、制御部２３の制御のもと、放送信号受信部３０を介して受信されたラジオ放送波の中から例えば操作入力部２０を介して指定されたラジオ局に対応する放送周波数のラジオ放送信号を抽出して所定の受信処理を施し、この結果得られる音声データをバス２２を介して音声制御部２６に送出する。
【００３６】
音声制御部２６は、チューナ部３１から与えられた音声データをアナログ音声信号に変換してスピーカ２７に送出することにより、当該スピーカ２７からラジオ局で放送されているラジオ番組の番組音声を出力させ、かくしてユーザに対しラジオ番組の番組音声を聴取させることができる。
【００３７】
また制御部２３は、チューナ部３１で得られた音声データを記憶媒体２９に送出して記憶することにより、ラジオ番組の番組音声を録音することもできる。
【００３８】
さらに制御部２３は、通信制御部３２及びネットワークインタフェース３３を順次介してネットワークＮＴに接続し、当該ネットワークＮＴ上のポータルサーバ３やその他サーバＳＶ１乃至ＳＶ４にアクセスすることができ、これによりポータルサーバ３やその他サーバＳＶ１乃至ＳＶ４との間で各種情報や各種データを送受信する。
【００３９】
エンコーダ／デコーダ部３４は、ネットワークＮＴからネットワークインタフェース３３及び通信制御部３２を順次介して受信された圧縮符号化されているコンテンツデータ、あるいは記憶媒体２９や外部記録媒体から読み出された圧縮符号化されているコンテンツデータを復号し表示制御部２４や音声制御部２６に送出する。
【００４０】
またエンコーダ／デコーダ部３４は、外部記録媒体から読み出された圧縮符号化されてはいないコンテンツデータや、チューナ部３１から与えられる音声データ等を圧縮符号化し、当該圧縮符号化したコンテンツデータを記憶媒体２９に送出する。
【００４１】
これによりエンコーダ／デコーダ部３４で圧縮符号化されたコンテンツデータは、制御部２３の制御のもと記憶媒体２９に記憶される。
【００４２】
著作権管理部３５は、ネットワークＮＴからネットワークインタフェース３３及び通信制御部３２を順次介してダウンロードされるコンテンツデータに対応する著作権管理情報や、外部記録媒体記録再生部２８により外部記録媒体から読み出されたコンテンツデータに対応する著作権管理情報を生成する。
【００４３】
著作権管理部３５で生成された著作権管理情報は、制御部２３の制御のもとにコンテンツデータと対応付けられて記憶媒体２９に登録される。
【００４４】
また著作権管理部３５は、記憶媒体２９と特定の外部記録媒体との間で著作権管理情報を対応付けたコンテンツデータをチェックアウトするときや、当該特定の外部記録媒体と記憶媒体２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
【００４５】
ページ情報生成部３６は、ネットワークＮＴからネットワークインタフェース３３及び通信制御部３２を順次介して受信されたＸＭＬ（eXtensible Markup Language）ファイル、あるいはＨＴＭＬ（Hyper Text Markup language）ファイル等のページ情報を解釈して表示部２５に表示するための映像データを生成し、当該生成した映像データを表示制御部２４に送出する。
【００４６】
認証処理部３７は、ネットワークインタフェース３３を介して接続されるネットワークＮＴ上のポータルサーバ３やその他サーバＳＶ１乃至ＳＶ４に対し認証情報を通信制御部３２及びネットワークインタフェース３３を順次介して送信する等の認証処理を実行する。
【００４７】
認証情報記憶部３８は、認証処理部３７がポータルサーバ３やその他サーバＳＶ１乃至ＳＶ４に対しアクセスするときに必要となる認証情報を記憶する。
【００４８】
ラジオ放送表示制御部３９は、現在、ユーザによる聴取用に受信中のラジオ放送に関するラジオ放送情報を要求するための要求信号を通信制御部３２及びネットワークインタフェース３３を順次介して、当該受信中のラジオ放送を放送しているラジオ局に対応するラジオ放送情報配信サーバＳＶ３に送信する。
【００４９】
その結果、ラジオ放送表示制御部３９は、ネットワークＮＴ上のラジオ放送情報配信サーバＳＶ３から送信されたラジオ放送情報をネットワークインタフェース３３及び通信制御部３２を順次介して受信すると共に、当該受信したラジオ放送情報を表示制御部２４に送出することにより表示部２５に対し、現在受信中のラジオ番組の番組名や、当該受信中の楽曲のタイトル及びアーティスト名等からなるラジオ放送情報を表示させる。
【００５０】
（１−２−２）ディレクトリ管理
クライアント端末２の制御部２３は、記憶媒体２９に対して記憶するコンテンツデータを、図３に示すディレクトリ構成で管理する。まず「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザ等に対応して作成される。
【００５１】
この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトル毎に対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが１つの楽曲すなわちコンテンツとなるものである。
【００５２】
このようなコンテンツデータについてのディレクトリ管理は、記憶媒体２９に記憶されているデータベースファイルによって行われる。
【００５３】
（１−３）ポータルサーバ３の機能回路ブロック構成
次に、図４を用いてポータルサーバ３の機能回路ブロックによるハードウェア構成を説明する。ポータルサーバ３内の制御部５０は、バス５１を介して接続される各回路の動作を制御する。
【００５４】
通信制御部５２は、制御部５０の制御のもと、ネットワークインタフェース５３を介してクライアント端末２やその他サーバＳＶ１乃至ＳＶ５と各種情報を送受信する。
【００５５】
顧客データベース部５４には、音楽関連サービス提供システム１の運営業者とすでに契約を完了しているユーザのユーザＩＤ（Identification）情報とパスワード情報とが対応付けられて顧客情報として登録されている。
【００５６】
ページ情報記憶部５５には、音楽関連サービス提供システム１の運営業者が管理するページ情報等が記憶されている。
【００５７】
なおページ情報は、ＸＭＬ等の言語によって記述されており、音楽データ配信サーバＳＶ１、物販サーバＳＶ２、ラジオ放送情報配信サーバＳＶ３及びインターネットラジオサーバＳＶ４等にアクセスするためのＵＲＬ（Uniform Resource Locator）情報を含んでいる。
【００５８】
認証処理部５６は、クライアント端末２から送信されたユーザＩＤ情報及びパスワード情報をネットワークインタフェース５３及び通信制御部５２を順次介して受信すると、ユーザ認証処理として、当該受信したユーザＩＤ情報及びパスワード情報が顧客データベース部５４に顧客情報として登録されているか否かを確認する。
【００５９】
そして認証処理部５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部５７に一時記憶する。
【００６０】
このとき制御部５０は、認証処理部５６によるユーザ認証処理の結果、ユーザが正規ユーザであると認証されると、ページ情報記憶部５５に記憶されている契約者用のページ情報をポータル認証結果情報と共に通信制御部５２及びネットワークインタフェース５３を順次介してクライアント端末２に送信する。
【００６１】
なお制御部５０は、認証処理部５６によるユーザ認証処理の結果、ユーザが正規ユーザであると認証されなかったときには、認証エラー情報を、ページ情報記憶部５５に記憶されている認証の失敗を示す認証失敗通知ページ情報と共に通信制御部５２及びネットワークインタフェース５３を順次介してクライアント端末２に送信するように構成しても良い。
【００６２】
また認証処理部５６は、音楽データ配信サーバＳＶ１、物販サーバＳＶ２及びラジオ放送情報配信サーバＳＶ３からユーザに対する認証処理が実行された結果、当該ユーザのクライアント端末２から取得して送信されるポータル認証結果情報（後述する認証チケット）をネットワークインタフェース５３及び通信制御部５２を順次介して受信すると、当該受信したポータル認証結果情報と、認証情報記憶部５７に一時記憶していた当該ユーザに対応するポータル認証結果情報とを比較する。
【００６３】
これにより認証処理部５６は、音楽データ配信サーバＳＶ１、物販サーバＳＶ２及びラジオ放送情報配信サーバＳＶ３から受信したポータル認証結果情報に対する認証処理として、正規のポータル認証結果情報であるか否かを確認する確認処理を実行し、その確認結果を示す確認結果情報を通信制御部５２及びネットワークインタフェース５３を順次介して当該音楽データ配信サーバＳＶ１、物販サーバＳＶ２及びラジオ放送情報配信サーバＳＶ３に返信する。
【００６４】
周波数情報記憶部５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
【００６５】
ＵＲＬ記憶部５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
【００６６】
（１−４）音楽データ配信サーバＳＶ１の機能回路ブロック構成
次に、図５を用いて音楽データ配信サーバＳＶ１の機能回路ブロックによるハードウェア構成を説明する。音楽データ配信サーバＳＶ１内の制御部７０は、バス７１を介して接続される各回路の動作を制御する。
【００６７】
通信制御部７２は、制御部７０の制御のもと、ネットワークインタフェース７３を介してクライアント端末２やポータルサーバ３等と各種情報や、コンテンツデータ等の各種データを送受信する。
【００６８】
顧客データベース部７４には、音楽データ配信サーバＳＶ１の運営業者とすでに契約を完了しているユーザのユーザＩＤ情報とパスワード情報とが対応付けられて顧客情報として登録されている。ただし認証処理部７５が、クライアント端末２から送信される、ポータルサーバ３によって発行されたポータル認証結果情報に基づいてユーザを認証処理する機能を有する場合には、顧客データベース部７４を設けなくてもよい。
【００６９】
ページ情報記憶部７６には、音楽データ配信サーバＳＶ１が管理する、ダウンロード可能な音楽データを紹介する音楽データ配信用のページ情報等が記憶されている。
【００７０】
因みに音楽データ配信用のページ情報は、ＸＭＬ等の言語によって記述されており、クライアント端末２を利用するユーザに対してダウンロードを希望する音楽データを選択させることができる。
【００７１】
そして制御部７０は、クライアント端末２から送信される、音楽データ配信用のページ情報を要求するページ情報取得要求信号をネットワークインタフェース７３及び通信制御部７２を順次介して受信すると、当該受信したページ情報取得要求信号に応じて、ページ情報記憶部７６に記憶された音楽データ配信用のページ情報を通信制御部７２及びネットワークインタフェース７３を順次介してクライアント端末２に送信する。
【００７２】
認証処理部７５は、クライアント端末２から送信される、当該クライアント端末２を利用するユーザのユーザＩＤ情報及びパスワード情報をネットワークインタフェース７３及び通信制御部７２を順次介して受信すると、ユーザ認証処理として、当該受信したユーザＩＤ情報及びパスワード情報が顧客データベース部７４に顧客情報として登録されているか否かを確認する。
【００７３】
また認証処理部７５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース７３及び通信制御部７２を順次介して受信し、当該受信したポータル認証結果情報を通信制御部７２及びネットワークインタフェース７３を順次介してポータルサーバ３に送信する。
【００７４】
そして認証処理部７５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース７３及び通信制御部７２を順次介して受信し、当該受信した確認結果情報に基づいてユーザが音楽関連サービス提供システム１の運営業者とすでに契約を完了している正規ユーザであるか否かを確認する。
【００７５】
このようにして認証処理部７５は、ユーザ認証処理が終了すると、そのユーザ認証処理の結果を示したサーバ認証結果情報（後述するサービスセッションＩＤ情報）を発行する。
【００７６】
このとき制御部７０は、認証処理部７５によるユーザ認証処理の結果、ユーザが正規ユーザであると認証されると、ページ情報記憶部７６に契約者用として記憶されている音楽データ配信用のページ情報をサーバ認証結果情報と共に通信制御部７２及びネットワークインタフェース７３を順次介してクライアント端末２に送信する。
【００７７】
これに対して制御部７０は、認証処理部７５によるユーザ認証処理の結果、ユーザが正規ユーザであると認証されなかったときには、認証エラー情報を、ページ情報記憶部７６に記憶されている認証の失敗を示す認証失敗通知ページ情報と共に通信制御部７２及びネットワークインタフェース７３を順次介してクライアント端末２に送信する。
【００７８】
ところで認証情報記憶部７７には、認証処理部７５により発行されたサーバ認証結果情報が一時記憶されると共に、当該認証処理部７５により、クライアント端末２を利用するユーザをユーザ認証処理するときに必要とされる各種認証情報が記憶されている。
【００７９】
音楽データ記憶部７８には、上述のＡＴＲＡＣ３形式やＭＰ３形式等で圧縮符号化された複数の音楽データが各々のコンテンツＩＤ情報等の検索キーと対応付けられて記憶されている。
【００８０】
検索部７９は、クライアント端末２に対し音楽データ配信用のページ情報が送信された結果、当該クライアント端末２から送信される、ダウンロード希望の音楽データ検索用の検索キーが格納されそのダウンロード希望の音楽データをダウンロード要求するダウンロード要求信号がネットワークインタフェース７３及び通信制御部７２を順次介して受信されると、当該受信されたダウンロード要求信号からその検索キーを取り出す。
【００８１】
そして検索部７９は、かかる検索キーに基づいて、音楽データ記憶部７８内の複数の音楽データの中から当該検索キーの示す検索条件に該当するダウンロード希望の音楽データを検索する。
【００８２】
これにより制御部７０は、その検索されたダウンロード希望の音楽データを通信制御部７２及びネットワークインタフェース７３を順次介してクライアント端末２に送信する。
【００８３】
また制御部７０は、このときクライアント端末２への音楽データのダウンロードに伴うユーザに対する課金処理用の課金情報を通信制御部７２及びネットワークインタフェース７３を順次介して課金サーバＳＶ５に送信することにより、課金サーバＳＶ５に対し当該ユーザに対する音楽データのダウンロードに応じた課金処理を実行させる。
【００８４】
（１−５）物販サーバＳＶ２の機能回路ブロック構成
次に、図６を用いて物販サーバＳＶ２の機能回路ブロックによるハードウェア構成を説明する。物販サーバＳＶ２内の制御部９０は、バス９１を介して接続される各回路の動作を制御する。
【００８５】
通信制御部９２は、制御部９０の制御のもと、ネットワークインタフェース９３を介してクライアント端末２やポータルサーバ３等と各種情報を送受信する。
【００８６】
顧客データベース部９４には、物販サーバＳＶ２の運営業者とすでに契約を完了しているユーザのユーザＩＤ情報とパスワード情報とが対応付けられて顧客情報として登録されている。ただし認証処理部９５が、クライアント端末２から送信される、ポータルサーバ３によって発行されたポータル認証結果情報に基づいてユーザを認証処理する機能を有する場合には、顧客データベース部９４を設けなくてもよい。
【００８７】
ページ情報記憶部９６には、物販サーバＳＶ２が管理する、販売対象のＣＤやＤＶＤ等のパッケージメディアを紹介するパッケージメディア販売用のページ情報等が記憶されている。
【００８８】
因みにパッケージメディア販売用のページ情報は、ＸＭＬ等の言語によって記述されており、クライアント端末２を利用するユーザに対して購入を希望するＣＤやＤＶＤ等のパッケージメディアを選択させることができる。
【００８９】
そして制御部９０は、クライアント端末２から送信される、パッケージメディア販売用のページ情報を要求するページ情報取得要求信号をネットワークインタフェース９３及び通信制御部９２を順次介して受信すると、当該受信したページ情報取得要求信号に応じて、ページ情報記憶部９６に記憶されたパッケージメディア販売用のページ情報を通信制御部９２及びネットワークインタフェース９３を順次介してクライアント端末２に送信する。
【００９０】
認証処理部９５は、クライアント端末２から送信される、当該クライアント端末２を利用するユーザのユーザＩＤ情報及びパスワード情報をネットワークインタフェース９３及び通信制御部９２を順次介して受信すると、ユーザ認証処理として、当該受信したユーザＩＤ情報及びパスワード情報が顧客データベース部９４に顧客情報として登録されているか否かを確認する。
【００９１】
また認証処理部９５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース９３及び通信制御部９２を順次介して受信し、当該受信したポータル認証結果情報を通信制御部９２及びネットワークインタフェース９３を順次介してポータルサーバ３に送信する。
【００９２】
そして認証処理部９５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース９３及び通信制御部９２を順次介して受信し、当該受信した確認結果情報に基づいてユーザが音楽関連サービス提供システム１の運営業者とすでに契約を完了している正規ユーザであるか否かを確認する。
【００９３】
このようにして認証処理部９５は、ユーザ認証処理が終了すると、そのユーザ認証処理の結果を示したサーバ認証結果情報（後述するサービスセッションＩＤ情報）を発行する。
【００９４】
このとき制御部９０は、認証処理部９５によるユーザ認証処理の結果、ユーザが正規ユーザであると認証されると、ページ情報記憶部９６に契約者用として記憶されているパッケージメディア販売用のページ情報をサーバ認証結果情報と共に通信制御部９２及びネットワークインタフェース９３を順次介してクライアント端末２に送信する。
【００９５】
これに対して制御部９０は、認証処理部９５によるユーザ認証処理の結果、ユーザが正規ユーザであると認証されなかったときには、認証エラー情報を、ページ情報記憶部９６に記憶されている認証の失敗を示す認証失敗通知ページ情報と共に通信制御部９２及びネットワークインタフェース９３を順次介してクライアント端末２に送信する。
【００９６】
ところで認証情報記憶部９７には、認証処理部９５により発行されたサーバ認証結果情報が一時記憶されると共に、当該認証処理部９５により、クライアント端末２を利用するユーザをユーザ認証処理するときに必要とされる各種認証情報が記憶されている。
【００９７】
パッケージメディア情報記憶部９８には、販売対象のＣＤやＤＶＤ等の複数のパッケージメディアに関する情報（以下、これをパッケージメディア情報と呼ぶ）が各々のパッケージメディアＩＤ情報等の検索キーと対応付けられて記憶されている。
【００９８】
検索部９９は、クライアント端末２に対しパッケージメディア販売用のページ情報が送信された結果、当該クライアント端末２から送信される、特定のＣＤやＤＶＤ等のパッケージメディアに関するパッケージメディア情報を要求するメディア情報要求信号がネットワークインタフェース９３及び通信制御部９２を順次介して受信されると、当該受信されたメディア情報要求信号から当該特定のパッケージメディア検索用の検索キーを取り出す。
【００９９】
そして検索部９９は、かかる検索キーに基づいて、パッケージメディア情報記憶部９８内の複数のパッケージメディア情報の中から当該検索キーの示す検索条件に該当する特定のパッケージメディアのパッケージメディア情報を検索する。
【０１００】
これにより制御部９０は、その検索されたパッケージメディア情報を通信制御部９２及びネットワークインタフェース９３を順次介してクライアント端末２に送信し、かくしてユーザに対し特定のパッケージメディアに関するパッケージメディア情報を提示する。
【０１０１】
その結果、制御部９０は、クライアント端末２から送信される、上述の特定のパッケージメディアを購入要求する購入要求信号をネットワークインタフェース９３及び通信制御部９２を順次介して受信すると、当該クライアント端末２を利用するユーザへの当該特定のパッケージメディアの引き渡し手続等の購入処理を実行する。
【０１０２】
また制御部９０は、特定のパッケージメディアの購入に伴うユーザに対する課金処理用の課金情報を通信制御部９２及びネットワークインタフェース９３を順次介して課金サーバＳＶ５に送信することにより、課金サーバＳＶ５に対し当該ユーザに対する特定のパッケージメディアの購入に応じた課金処理を実行させる。
【０１０３】
さらに制御部９０は、課金サーバＳＶ５によるユーザに対する課金処理が完了すると、パッケージメディアの購入処理が完了したことを示す購入完了ページ情報を通信制御部９２及びネットワークインタフェース９３を順次介してクライアント端末２に送信する。
【０１０４】
（１−６）ラジオ放送情報配信サーバＳＶ３の機能回路ブロック構成
次に、図７を用いてラジオ放送情報配信サーバＳＶ３の機能回路ブロックによるハードウェア構成を説明する。ラジオ放送情報配信サーバＳＶ３内の制御部１１０は、バス１１１を介して接続される各回路の動作を制御する。
【０１０５】
通信制御部１１２は、制御部１１０の制御のもと、ネットワークインタフェース１１３を介してクライアント端末２やポータルサーバ３等と各種情報を送受信する。
【０１０６】
顧客データベース部１１４には、ラジオ放送情報配信サーバＳＶ３の運営業者とすでに契約を完了しているユーザのユーザＩＤ情報とパスワード情報とが対応付けられて顧客情報として登録されている。ただし認証処理部１１５が、クライアント端末２から送信される、ポータルサーバ３によって発行されたポータル認証結果情報に基づいてユーザを認証処理する機能を有する場合には、顧客データベース部１１４を設けなくてもよい。
【０１０７】
ページ情報記憶部１１６には、ラジオ放送情報配信サーバＳＶ３が管理し、当該ラジオ放送情報配信サーバＳＶ３に対応するラジオ局によってすでに放送されたラジオ番組に関するラジオ放送情報（以下、これを特にオンエアリスト情報と呼ぶ）の取得に利用させるオンエアリスト情報配信用のページ情報等が記憶されている。
【０１０８】
因みにオンエアリスト情報配信用のページ情報は、ＸＭＬ等の言語によって記述され、クライアント端末２を利用するユーザに対し、ラジオ番組の放送日時情報や番組名等を、取得希望のオンエアリスト情報に対する検索キーとして入力させるための入力ボックス等が設けられている。
【０１０９】
オンエアリスト情報記憶部１１７には、ラジオ放送情報配信サーバＳＶ３に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
【０１１０】
そして制御部１１０は、クライアント端末２から送信される、オンエアリスト情報配信用のページ情報を要求するページ情報取得要求信号をネットワークインタフェース１１３及び通信制御部１１２を順次介して受信すると、当該受信したページ情報取得要求信号に応じて、ページ情報記憶部１１６に記憶されたオンエアリスト情報配信用のページ情報を通信制御部１１２及びネットワークインタフェース１１３を順次介してクライアント端末２に送信する。
【０１１１】
その結果、検索部１１８は、クライアント端末２からオンエアリスト情報配信用のページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１３及び通信制御部１１２を順次介して受信すると、当該受信したオンエアリスト情報要求信号から検索キーを取り出す。
【０１１２】
そして検索部１１８は、かかる検索キーに基づいて、オンエアリスト情報記憶部１１７内のオンエアリスト情報全体に対し当該検索キーの示す検索条件に該当する所定範囲部分を取得希望のオンエアリスト情報として検索する。
【０１１３】
これにより制御部１１０は、その検索された取得希望のオンエアリスト情報を通信制御部１１２及びネットワークインタフェース１１３を順次介してクライアント端末２に送信する。
【０１１４】
またナウオンエア情報記憶部１１９には、ラジオ放送情報配信サーバＳＶ３に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるナウオンエア情報が記憶されている。
【０１１５】
そして認証処理部１１５は、クライアント端末２からナウオンエア情報を取得要求するナウオンエア情報要求信号と共に送信される、当該クライアント端末２を利用するユーザのユーザＩＤ情報及びパスワード情報をネットワークインタフェース１１３及び通信制御部１１２を順次介して受信すると、ユーザ認証処理として、当該受信したユーザＩＤ情報及びパスワード情報が顧客データベース部１１４に顧客情報として登録されているか否かを確認する。
【０１１６】
また認証処理部１１５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース１１３及び通信制御部１１２を順次介して受信し、当該受信したポータル認証結果情報を通信制御部１１２及びネットワークインタフェース１１３を順次介してポータルサーバ３に送信する。
【０１１７】
そして認証処理部１１５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース１１３及び通信制御部１１２を順次介して受信し、当該受信した確認結果情報に基づいてユーザが音楽関連サービス提供システム１の運営業者とすでに契約を完了している正規ユーザであるか否かを確認する。
【０１１８】
このようにして認証処理部１１５は、ユーザ認証処理が終了すると、そのユーザ認証処理の結果を示したサーバ認証結果情報（後述するサービスセッションＩＤ情報）を発行する。
【０１１９】
このとき制御部１１０は、認証処理部１１５によるユーザ認証処理の結果、ユーザが正規ユーザであると認証されると、ナウオンエア情報記憶部１１９に記憶されているナウオンエア情報をサーバ認証結果情報と共に通信制御部１１２及びネットワークインタフェース１１３を順次介してクライアント端末２に送信する。
【０１２０】
これに対して制御部１１０は、認証処理部１１５によるユーザ認証処理の結果、ユーザが正規ユーザであると認証されなかったときには、認証エラー情報を、ページ情報記憶部１１６に記憶されている認証の失敗を示す認証失敗通知ページ情報と共に通信制御部１１２及びネットワークインタフェース１１３を順次介してクライアント端末２に送信する。
【０１２１】
このようにして制御部１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送情報配信サーバＳＶ３が提供するラジオ放送情報配信サービスを受けさせないようにしている。
【０１２２】
ところで認証情報記憶部１２０には、認証処理部１１５により発行されたサーバ認証結果情報が一時記憶されると共に、当該認証処理部１１５により、クライアント端末２を利用するユーザをユーザ認証処理するときに必要とされる各種認証情報が記憶されている。
【０１２３】
（１−７）各サーバの処理概要
次に図８乃至図１３に示すシーケンスチャートを用いて、クライアント端末２とポータルサーバ３との間で実行される処理や、クライアント端末２とその他の音楽データ配信サーバＳＶ１、物販サーバＳＶ２及びラジオ放送情報配信サーバＳＶ３との間で実行される処理の概要を説明する。
【０１２４】
（１−７−１）クライアント端末２及びポータルサーバ３間のユーザ認証処理手順
まず図８を用いて、クライアント端末２とポータルサーバ３との間で実行されるユーザ認証処理手順について説明する。
【０１２５】
音楽関連サービス提供システム１の運営業者と契約しているユーザのクライアント端末２において制御部２３は、例えばクライアント端末２に対して電源を投入する操作が行われ、又はユーザにより操作入力部２０の特定の操作ボタンが押下されたことに応じてその操作入力部２０で認識された操作入力信号が入力処理部２１で操作コマンドに変換されて与えられると、認証要求処理を開始する。
【０１２６】
クライアント端末２で認証要求処理を開始すると、ステップＳＰ１において、制御部２３は、認証情報記憶部３８に対し予め一時記憶している認証セッションＩＤ情報等を格納した接続要求信号を生成し、当該生成した接続要求信号を通信制御部３２及びネットワークインタフェース３３を順次介してポータルサーバ３に送信する。
【０１２７】
因みに認証セッションＩＤ情報は、クライアント端末２とポータルサーバ３とがユーザ認証処理等の各種処理の実行用に通信接続する毎に、個々の通信接続状態（すなわち、セッション）の識別用としてポータルサーバ３によって発行される識別情報である。
【０１２８】
なおかかる認証セッションＩＤ情報については、ユーザ認証処理等に利用するうえで、ポータルサーバ３による発行時点を基準とした所定の有効期限（例えば１分程度）が設定されている。
【０１２９】
従ってポータルサーバ３から認証セッションＩＤ情報を取得したクライアント端末２は、その認証セッションＩＤ情報を有効期限以内にポータルサーバ３に対して提示することができない場合、ポータルサーバ３により、当該認証セッションＩＤ情報で特定される通信接続状態が切断されたと判断される。
【０１３０】
これによりポータルサーバ３は、過去に発行した認証セッションＩＤ情報が、音楽関連サービス提供システム１の運営業者と契約してはいないユーザによりユーザ認証処理等に対し不当に利用されることを防止している。
【０１３１】
また認証情報記憶部３８に一時記憶されている認証セッションＩＤ情報は、クライアント端末２とポータルサーバ３とが以前にユーザ認証処理等の実行用に通信接続したとき、そのポータルサーバ３によって発行されたものである。
【０１３２】
クライアント端末２から接続要求信号が送信されると、これに応じてステップＳＰ２においてポータルサーバ３の制御部５０は、ネットワークインタフェース５３及び通信制御部５２を順次介してその接続要求信号を受信し、当該受信した接続要求信号に格納されている認証セッションＩＤ情報等を認証処理部５６に送出する。
【０１３３】
そして認証処理部５６は、制御部５０の制御のもと、クライアント端末２から接続要求信号として受信された認証セッションＩＤ情報等に基づいてユーザ認証処理を実行する。
【０１３４】
その結果、制御部５０は、認証処理部５６により、クライアント端末２から受信した認証セッションＩＤ情報等の有効期限が切れる等して、当該クライアント端末２を利用するユーザを正規ユーザであると認証することができなかったときには、認証エラーを示す認証エラー情報を通信制御部５２及びネットワークインタフェース５３を順次介してクライアント端末２に送信する。
【０１３５】
ステップＳＰ３において、クライアント端末２の制御部２３は、ポータルサーバ３から送信された認証エラー情報をネットワークインタフェース３３及び通信制御部３２を順次介して受信すると、これに応じて認証情報記憶部３８に記憶しているユーザＩＤ情報及びパスワード情報等を読み出し、当該読み出したユーザＩＤ情報及びパスワード情報等を通信制御部３２及びネットワークインタフェース３３を順次介してポータルサーバ３に送信する。
【０１３６】
ステップＳＰ４において、ポータルサーバ３の制御部５０は、クライアント端末２から送信されたユーザＩＤ情報及びパスワード情報等をネットワークインタフェース５３及び通信制御部５２を順次介して受信し、当該受信したユーザＩＤ情報及びパスワード情報等を認証処理部５６に送出する。
【０１３７】
これにより認証処理部５６は、制御部５０の制御のもとにユーザ認証処理として、そのクライアント端末２から受信されたユーザＩＤ情報及びパスワード情報等が、顧客データベース部５４に登録されている顧客情報に含まれているか否かを検出する。
【０１３８】
その結果、認証処理部５６は、クライアント端末２を利用するユーザを正規ユーザであると認証すると、制御部５０の制御のもとにポータル認証結果情報として、現時点のクライアント端末２とポータルサーバ３との通信接続状態に対する認証セッションＩＤ情報等を発行すると共に、当該クライアント端末２に対して発行した認証セッションＩＤ情報等を認証情報記憶部５７に一時記憶する。
【０１３９】
そして制御部５０は、認証処理部５６によりそのクライアント端末２に対して発行された認証セッションＩＤ情報等を通信制御部５２及びネットワークインタフェース５３を順次介してクライアント端末２に送信する。
【０１４０】
ステップＳＰ５において、クライアント端末２の制御部２３は、ポータルサーバ３から送信された認証セッションＩＤ情報等をネットワークインタフェース３３及び通信制御部３２を順次介して受信し、当該受信した認証セッションＩＤ情報等を認証処理部３７に送出する。
【０１４１】
そして認証処理部３７は、制御部２３の制御のもとに、ポータルサーバ３から受信されたその認証セッションＩＤ情報等を認証情報記憶部３８に一時記憶する。
【０１４２】
これにより制御部２３は、ポータルサーバ３に対しページ情報を要求するためのページ情報取得要求信号を、ポータルサーバ３から受信して認証情報記憶部３８に一時記憶されたその認証セッションＩＤ情報等と共に通信制御部３２及びネットワークインタフェース３３を順次介してポータルサーバ３に送信する。
【０１４３】
ステップＳＰ６において、ポータルサーバ３の制御部５０は、クライアント端末２から送信されたページ情報取得要求信号及び認証セッションＩＤ情報等をネットワークインタフェース５３及び通信制御部５２を順次介して受信し、当該受信した認証セッションＩＤ情報等を認証処理部５６に送出する。
【０１４４】
これにより認証処理部５６は、制御部５０の制御のもと、クライアント端末２から受信された認証セッションＩＤ情報等と、上述のステップＳＰ４においてクライアント端末２に対して発行し認証情報記憶部５７に一時記憶していた認証セッションＩＤ情報等とを比較するようにしてユーザ認証処理を実行する。
【０１４５】
その結果ステップＳＰ７において、認証処理部５６は、クライアント端末２を利用するユーザを正規ユーザであると認証すると、当該クライアント端末２からのページ情報の取得要求が正当な要求であると判断し、クライアント端末２に対して発行していた認証セッションＩＤ情報等の有効期限を延長する。
【０１４６】
これにより制御部５０は、ページ情報記憶部５５から、ユーザによって取得要求されたページ情報を読み出すと共に、当該読み出したページ情報を、認証処理部５６により有効期限の延長された認証セッションＩＤ情報等と共に通信制御部５２及びネットワークインタフェース５３を順次介してクライアント端末２に送信する。
【０１４７】
ステップＳＰ８において、クライアント端末２の制御部２３は、ポータルサーバ３から送信されたページ情報と、有効期限の延長された認証セッションＩＤ情報等とをネットワークインタフェース３３及び通信制御部３２を順次介して受信し、当該受信したページ情報をページ情報生成部３６に送出すると共に、その有効期限の延長された認証セッションＩＤ情報等を認証処理部３７に送出する。
【０１４８】
ページ情報生成部３６は、制御部２３から与えられたページ情報に基づいて、音楽データ配信サーバＳＶ１、物販サーバＳＶ２及びラジオ放送情報配信サーバＳＶ３へのリンクが埋め込まれたページの映像データを生成し、当該生成した映像データを表示制御部２４に送出する。
【０１４９】
これにより表示制御部２４は、ページ情報生成部３６から与えられた映像データに対してディジタルアナログ変換処理を施し、得られたアナログ映像信号を表示部２５に送出することにより当該表示部２５にそのアナログ映像信号に基づく映像としてポータルサーバ３のページを表示させる。
【０１５０】
また認証処理部３７は、制御部２３の制御のもと認証情報記憶部３８において、ポータルサーバ３から受信された、有効期限の延長された認証セッションＩＤ情報等をその有効期限が延長される前の認証セッションＩＤ情報等に上書きするようにして一時記憶することにより、上述のステップＳＰ５において一時記憶していた認証セッションＩＤ情報等を有効期限の延長された認証セッションＩＤ情報等に更新する。
【０１５１】
（１−７−２）クライアント端末２及び各サーバＳＶ１乃至ＳＶ３間のユーザ認証処理手順
次に、図９において、クライアント端末２と、音楽データ配信サーバＳＶ１、物販サーバＳＶ２及びラジオ放送情報配信サーバＳＶ３との間で実行するユーザ認証処理について以下に説明する。
【０１５２】
この場合、かかるユーザ認証処理としては、クライアント端末２が図８について上述したようにポータルサーバ３からページ情報を一旦取得し、引き続きそのページ情報に埋め込まれたリンクにより音楽データ配信サーバＳＶ１、物販サーバＳＶ２及びラジオ放送情報配信サーバＳＶ３にアクセスして実行されるユーザ認証処理（以下、これを間接アクセス認証処理と呼ぶ）がある。
【０１５３】
またかかるユーザ認証処理としては、クライアント端末２がポータルサーバ３のページ情報を取得せずに、予めブックマークとして登録しているＵＲＬ情報等により音楽データ配信サーバＳＶ１、物販サーバＳＶ２及びラジオ放送情報配信サーバＳＶ３に直接アクセスして実行されるユーザ認証処理（以下、これを直接アクセス認証処理と呼ぶ）もある。
【０１５４】
ただし間接アクセス認証処理については、クライアント端末２と、音楽データ配信サーバＳＶ１、物販サーバＳＶ２及びラジオ放送情報配信サーバＳＶ３とが何れの組合せであっても同様の手順で実行することができる。
【０１５５】
また直接アクセス認証処理についても、クライアント端末２と、音楽データ配信サーバＳＶ１、物販サーバＳＶ２及びラジオ放送情報配信サーバＳＶ３とが何れの組合せであっても同様の手順で実行することができる。
【０１５６】
そして間接アクセス認証処理及び直接アクセス認証処理では、クライアント端末２において音楽データ配信サーバＳＶ１、物販サーバＳＶ２及びラジオ放送情報配信サーバＳＶ３へのアクセスに使用するＵＲＬ情報の取得の仕方のみが異なるだけで、当該ＵＲＬ情報の取得以降には、間接アクセス認証処理及び直接アクセス認証処理の両方ともに同様の手順で実行することができる。
【０１５７】
従って以下には、クライアント端末２のアクセス先として、説明を簡略化するうえで音楽データ配信サーバＳＶ１を代表として用い、さらに間接アクセス認証処理及び直接アクセス認証処理をまとめて１つのユーザ認証処理として説明する。
【０１５８】
まず、ステップＳＰ１０において、クライアント端末２の制御部２３は、ページ情報にリンクとして埋め込まれたＵＲＬ情報、又はすでにブックマークとして登録しているＵＲＬ情報等に従って、音楽データ配信用のページ情報（他の物販サーバＳＶ２やラジオ放送情報配信サーバＳＶ３では、パッケージメディア販売用のページ情報やオンエアリスト情報配信用のページ情報等となる）を取得要求するページ情報取得要求信号と共に、認証情報記憶部３８から読み出したサービスセッションＩＤ情報等を通信制御部３２及びネットワークインタフェース３３を順次介して音楽データ配信サーバＳＶ１に送信する。
【０１５９】
因みにサービスセッションＩＤ情報は、クライアント端末２と音楽データ配信サーバＳＶ１、物販サーバＳＶ２及びラジオ放送情報配信サーバＳＶ３とがユーザ認証処理等の各種処理の実行用に通信接続する毎に、個々の通信接続状態（すなわち、セッション）の識別用として、クライアント端末２がアクセスした音楽データ配信サーバＳＶ１、物販サーバＳＶ２及びラジオ放送情報配信サーバＳＶ３によって発行される識別情報である。
【０１６０】
なおかかるサービスセッションＩＤ情報については、上述した認証セッションＩＤ情報と同様に、ユーザ認証処理等に利用するうえで音楽データ配信サーバＳＶ１、物販サーバＳＶ２及びラジオ放送情報配信サーバＳＶ３による発行時点を基準とした所定の有効期限（例えば１分程度）が設定されている。
【０１６１】
従って各サーバＳＶ１乃至ＳＶ３からサービスセッションＩＤ情報を取得したクライアント端末２は、そのサービスセッションＩＤ情報を有効期限以内に発行元の音楽データ配信サーバＳＶ１、物販サーバＳＶ２及びラジオ放送情報配信サーバＳＶ３に対して提示することができない場合、これら発行元の音楽データ配信サーバＳＶ１、物販サーバＳＶ２及びラジオ放送情報配信サーバＳＶ３により、当該サービスセッションＩＤ情報で特定される通信接続状態が切断されたと判断される。
【０１６２】
これにより音楽データ配信サーバＳＶ１、物販サーバＳＶ２及びラジオ放送情報配信サーバＳＶ３は、過去に発行したサービスセッションＩＤ情報が、音楽関連サービス提供システム１の運営業者と契約してはいないユーザによりユーザ認証処理等に対し不当に利用されることを防止している。
【０１６３】
また認証情報記憶部３８に一時記憶されているサービスセッションＩＤ情報は、クライアント端末２と音楽データ配信サーバＳＶ１、物販サーバＳＶ２及びラジオ放送情報配信サーバＳＶ３とが以前にユーザ認証処理等の実行用に通信接続したとき、そのアクセス先の音楽データ配信サーバＳＶ１、物販サーバＳＶ２及びラジオ放送情報配信サーバＳＶ３によって発行されたものである。
【０１６４】
ステップＳＰ１１において、音楽データ配信サーバＳＶ１の制御部７０は、クライアント端末２から送信されたページ情報取得要求信号及びサービスセッションＩＤ情報等をネットワークインタフェース７３及び通信制御部７２を順次介して受信し、当該受信したサービスセッションＩＤ情報等を認証処理部７５に送出する。
【０１６５】
認証処理部７５は、制御部７０の制御のもと、クライアント端末２から受信されたサービスセッションＩＤ情報等と、認証情報記憶部７７にすでに一時記憶しているサービスセッションＩＤ情報等とを比較するようにしてユーザ認証処理を実行する。
【０１６６】
その結果、認証処理部７５は、例えばクライアント端末２から受信したサービスセッションＩＤ情報の有効期限がすでに切れていることにより、当該クライアント端末２を利用するユーザを正規ユーザであるとは認証することができないと、クライアント端末２からの音楽データ配信用のページ情報の取得要求が正当な要求ではないと判断する。
【０１６７】
そして制御部７０は、認証処理部７５によりクライアント端末２を利用するユーザが正規ユーザであると認証されないと、認証エラーを示す認証エラー情報と、音楽データ配信サーバＳＶ１を識別するショップコードとを通信制御部７２及びネットワークインタフェース７３を順次介してクライアント端末２に送信する。
【０１６８】
ステップＳＰ１２において、クライアント端末２の制御部２３は、音楽データ配信サーバＳＶ１から送信された認証エラー情報及びショップコードをネットワークインタフェース３３及び通信制御部３２を順次介して受信し、当該受信した認証エラー情報により、音楽データ配信サーバＳＶ１においてユーザが正規ユーザとして認証されなかったことを認識すると共に、その音楽データ配信サーバＳＶ１から受信したショップコードを認証情報記憶部３８に一時記憶する。
【０１６９】
そして制御部２３は、ポータルサーバ３に対して、音楽データ配信サーバＳＶ１にアクセスするための認証チケットを発行要求する認証チケット発行要求信号を生成し、当該生成した認証チケット発行要求信号を音楽データ配信サーバＳＶ１のショップコード、及びすでにポータルサーバ３から受信して認証情報記憶部３８に対し一時記憶している認証セッションＩＤ情報等と共に通信制御部３２及びネットワークインタフェース３３を順次介してポータルサーバ３に送信する。
【０１７０】
ステップＳＰ１３において、ポータルサーバ３の制御部５０は、クライアント端末２から送信された認証チケット発行要求信号、ショップコード及び認証セッションＩＤ情報等をネットワークインタフェース５３及び通信制御部５２を順次介して受信し、これらを認証処理部５６に送出する。
【０１７１】
これにより認証処理部５６は、制御部５０の制御のもと、そのクライアント端末２から受信された認証セッションＩＤ情報等と、認証情報記憶部５７に対しすでに一時記憶している認証セッションＩＤ情報等とを比較するようにしてユーザ認証処理を実行する。
【０１７２】
その結果、認証処理部５６は、例えばクライアント端末２から受信された認証セッションＩＤ情報の有効期限がすでに切れており、当該クライアント端末２を利用するユーザを正規ユーザであるとは認証することができないと、クライアント端末２からの認証チケットの発行要求が正当な要求ではないと判断する。
【０１７３】
そして制御部５０は、認証処理部５６によりクライアント端末２を利用するユーザが正規ユーザであると認証されないと、認証エラーを示す認証エラー情報を通信制御部５２及びネットワークインタフェース５３を順次介してクライアント端末２に送信する。
【０１７４】
これに対して認証処理部５６は、例えばクライアント端末２から受信した認証セッションＩＤ情報の有効期限が未だ切れてはいないことで、クライアント端末２を利用するユーザを正規ユーザであると認証すると、当該クライアント端末２からの認証チケットの発行要求が正当な要求であると判断する。
【０１７５】
そして制御部５０は、認証処理部５６により、クライアント端末２を利用するユーザが正規ユーザであると認証されると、後述するステップＳＰ１８に移る。
【０１７６】
ステップＳＰ１４において、クライアント端末２の制御部２３は、ポータルサーバ３から送信された認証エラー情報をネットワークインタフェース３３及び通信制御部３２を順次介して受信すると、認証情報記憶部３８に記憶されているユーザＩＤ情報及びパスワード情報等を読み出すと共に、当該読み出したユーザＩＤ情報及びパスワード情報等を通信制御部３２及びネットワークインタフェース３３を順次介してポータルサーバ３に送信する。
【０１７７】
ステップＳＰ１５において、ポータルサーバ３の制御部５０は、クライアント端末２から送信されたユーザＩＤ情報及びパスワード情報等をネットワークインタフェース５３及び通信制御部５２を順次介して受信し、当該受信したユーザＩＤ情報及びパスワード情報等を認証処理部５６に送出する。
【０１７８】
これにより認証処理部５６は、制御部５０の制御のもと、クライアント端末２から受信されたユーザＩＤ情報及びパスワード情報等が、顧客データベース部５４に登録されている顧客情報に含まれているか否かを検出するようにしてユーザ認証処理を実行する。
【０１７９】
その結果、認証処理部５６は、クライアント端末２を利用するユーザを正規ユーザであると認証すると、制御部５０の制御のもとポータル認証結果情報として、現時点のクライアント端末２とポータルサーバ３との通信接続状態に対する認証セッションＩＤ情報等を発行すると共に、当該クライアント端末２に対して発行した認証セッションＩＤ情報等を認証情報記憶部５７に一時記憶する。
【０１８０】
そして制御部５０は、認証処理部５６によりそのクライアント端末２に対して発行された認証セッションＩＤ情報等を通信制御部５２及びネットワークインタフェース５３を順次介してクライアント端末２に送信する。
【０１８１】
ステップＳＰ１６において、クライアント端末２の制御部２３は、ポータルサーバ３から送信された認証セッションＩＤ情報等をネットワークインタフェース３３及び通信制御部３２を順次介して受信し、当該受信した認証セッションＩＤ情報等を認証処理部３７により認証情報記憶部３８に一時記憶する。
【０１８２】
そして制御部２３は、再びポータルサーバ３に対して、認証チケットを発行要求する認証チケット発行要求信号を生成すると共に、当該生成した認証チケット発行要求信号を、認証情報記憶部３８にすでに一時記憶しているショップコード、及びこのとき一時記憶した認証セッションＩＤ情報等と共に通信制御部３２及びネットワークインタフェース３３を順次介してポータルサーバ３に送信する。
【０１８３】
ここで本実施の形態では、クライアント端末２において認証情報記憶部３８に対しショップコードを一時記憶しておいたが、これに限らず、当該クライアント端末２とポータルサーバ３との間でステップＳＰ１２乃至ステップＳＰ１６の処理を実行する際にショップコードを順次送受信することにより、クライアント端末２において認証情報記憶部３８に対しショップコードを一時記憶しなくてもステップＳＰ１６においてポータルサーバ３に対しショップコードを送信することが可能である。
【０１８４】
ステップＳＰ１７において、ポータルサーバ３の制御部５０は、クライアント端末２から送信された認証チケット発行要求信号、ショップコード及び認証セッションＩＤ情報等をネットワークインタフェース５３及び通信制御部５２を順次介して受信し、これらを認証処理部５６に送出する。
【０１８５】
これにより認証処理部５６は、制御部５０の制御のもと、そのクライアント端末２から受信された認証セッションＩＤ情報等と、認証情報記憶部５７にすでに一時記憶している認証セッションＩＤ情報等とを比較するようにしてユーザ認証処理を実行する。
【０１８６】
その結果、認証処理部５６は、例えばクライアント端末２から受信した認証セッションＩＤ情報等の有効期限が未だ切れてはいないために、クライアント端末２を利用するユーザを正規ユーザであると認証すると、当該クライアント端末２からの認証チケットの発行要求が正当な要求であると判断する。
【０１８７】
そして制御部５０は、認証処理部５６により、クライアント端末２を利用するユーザが正規ユーザであると認証されると、次のステップＳＰ１８に移る。
【０１８８】
ステップＳＰ１８において、認証処理部５６は、制御部５０の制御のもと、上述のステップＳＰ１７においてクライアント端末２から受信したショップコード及び認証チケット発行要求信号に基づいて、ポータル認証結果情報として、当該ショップコードの示す音楽データ配信サーバＳＶ１へのアクセスを可能にする認証チケット等を発行する。
【０１８９】
そして認証処理部５６は、制御部５０の制御のもと、その発行した認証チケット等を認証情報記憶部５７に一時記憶すると共に、クライアント端末２に対して発行していた認証セッションＩＤ情報等の有効期限を延長する。
【０１９０】
これにより制御部５０は、認証チケット等を、認証処理部５６により有効期限の延長された認証セッションＩＤ情報等と共に通信制御部５２及びネットワークインタフェース５３を順次介してクライアント端末２に送信する。
【０１９１】
ステップＳＰ１９において、クライアント端末２の制御部２３は、ポータルサーバ３から送信された認証チケット等と、有効期限の延長された認証セッションＩＤ情報等とをネットワークインタフェース３３及び通信制御部３２を順次介して受信し、当該受信した認証セッションＩＤ情報を認証処理部３７に送出する。
【０１９２】
そして制御部２３は、そのポータルサーバ３から受信した認証チケット等を認証要求信号と共に通信制御部３２及びネットワークインタフェース３３を順次介して音楽データ配信サーバＳＶ１に送信する。
【０１９３】
また認証処理部３７は、このとき制御部２３の制御のもとに認証情報記憶部３８において、ポータルサーバ３から受信された有効期限の延長されている認証セッションＩＤ情報等をその有効期限が延長される前の認証セッションＩＤ情報等に上書きするようにして一時記憶することにより、上述のステップＳＰ１６において一時記憶していた認証セッションＩＤ情報等を有効期限の延長された認証セッションＩＤ情報等に更新する。
【０１９４】
ステップＳＰ２０において、音楽データ配信サーバＳＶ１の制御部７０は、クライアント端末２から送信された認証要求信号及び認証チケット等をネットワークインタフェース７３及び通信制御部７２を順次介して受信する。
【０１９５】
そして制御部７０は、そのクライアント端末２から受信した認証チケット等を当該認証チケット等の確認を要求する認証チケット確認要求信号と共に通信制御部７２及びネットワークインタフェース７３を順次介してポータルサーバ３に送信する。
【０１９６】
ステップＳＰ２１において、ポータルサーバ３の制御部５０は、音楽データ配信サーバＳＶ１から送信された認証チケット確認要求信号及び認証チケット等をネットワークインタフェース５３及び通信制御部５２を順次介して受信し、当該受信した認証チケット確認要求信号及び認証チケット等を認証処理部５６に送出する。
【０１９７】
そして認証処理部５６は、制御部５０の制御のもと認証チケット確認要求信号に応じて、その音楽データ配信サーバＳＶ１から受信された認証チケット等と、認証情報記憶部５７にすでに一時記憶している認証チケット等とを比較するようにして、当該音楽データ配信サーバＳＶ１から受信した認証チケットに対する確認処理を実行する。
【０１９８】
その結果、制御部５０は、認証処理部５６により、音楽データ配信サーバＳＶ１から受信した認証チケット等が正規の認証チケット等であると確認されると、当該認証チケット等を正規の認証チケット等であると確認したことを示す確認結果情報を通信制御部５２及びネットワークインタフェース５３を順次介して音楽データ配信サーバＳＶ１に送信する。
【０１９９】
ステップＳＰ２２において、音楽データ配信サーバＳＶ１の制御部７０は、ポータルサーバ３から送信された確認結果情報をネットワークインタフェース７３及び通信制御部７２を順次介して受信し、当該受信した確認結果情報を認証処理部７５に送出する。
【０２００】
これにより認証処理部７５は、制御部７０の制御のもとにその確認結果情報に応じ、サーバ認証結果情報として、現時点のクライアント端末２と音楽データ配信サーバＳＶ１との通信接続状態に対するサービスセッションＩＤ情報等を発行すると共に、当該発行したサービスセッションＩＤ情報等を認証情報記憶部７７に一時記憶する。
【０２０１】
また制御部７０は、認証処理部７５によりそのクライアント端末２に対して発行されたサービスセッションＩＤ情報等を通信制御部７２及びネットワークインタフェース７３を順次介してクライアント端末２に送信する。
【０２０２】
ステップＳＰ２３において、クライアント端末２の制御部２３は、音楽データ配信サーバＳＶ１から送信されたサービスセッションＩＤ情報等をネットワークインタフェース３３及び通信制御部３２を順次介して受信し、当該受信したサービスセッションＩＤ情報等を認証処理部３７により認証情報記憶部３８に一時記憶させる。
【０２０３】
これにより制御部２３は、音楽データ配信用のページ情報を要求するページ情報取得要求信号を、音楽データ配信サーバＳＶ１から受信して認証情報記憶部３８に一時記憶させたサービスセッションＩＤ情報等と共に通信制御部３２及びネットワークインタフェース３３を順次介して音楽データ配信サーバＳＶ１に送信する。
【０２０４】
ステップＳＰ２４において、音楽データ配信サーバＳＶ１の制御部７０は、クライアント端末２から送信されたページ情報取得要求信号及びサービスセッションＩＤ情報等をネットワークインタフェース７３及び通信制御部７２を順次介して受信し、当該受信したサービスセッションＩＤ情報等を認証処理部７５に送出する。
【０２０５】
これにより認証処理部７５は、制御部７０の制御のもと、クライアント端末２から受信されたサービスセッションＩＤ情報等と、上述のステップＳＰ２２においてすでにクライアント端末２に対し発行して認証情報記憶部７７に一時記憶していたサービスセッションＩＤ情報等とを比較するようにしてユーザ認証処理を実行する。
【０２０６】
その結果、認証処理部７５は、例えばクライアント端末２から受信したサービスセッションＩＤ情報等の有効期限が未だ切れてはいないために、そのクライアント端末２を利用するユーザを正規ユーザであると認証すると、当該クライアント端末２からの音楽データ配信用のページ情報の取得要求が正当な要求であると判断する。
【０２０７】
そして制御部７０は、認証処理部７５により、クライアント端末２を利用するユーザが正規ユーザであると認証されると、次のステップＳＰ２５に移る。
【０２０８】
ステップＳＰ２５において、制御部７０は、ページ情報記憶部７６から、ユーザにより取得要求された音楽データ配信用のページ情報を読み出すと共に、認証処理部７５により、クライアント端末２に対して発行していたサービスセッションＩＤ情報等の有効期限を延長させる。
【０２０９】
そして制御部７０は、そのページ情報記憶部７６から読み出した音楽データ配信用のページ情報を、認証処理部７５により有効期限を延長させたサービスセッションＩＤ情報等と共に通信制御部７２及びネットワークインタフェース７３を順次介してクライアント端末２に送信する。
【０２１０】
ステップＳＰ２６において、クライアント端末２の制御部２３は、音楽データ配信サーバＳＶ１から送信された音楽データ配信用のページ情報と、有効期限の延長されたサービスセッションＩＤ情報等とをネットワークインタフェース３３及び通信制御部３２を順次介して受信し、当該受信した音楽データ配信用のページ情報をページ情報生成部３６に送出すると共に、その音楽データ配信サーバＳＶ１から受信したサービスセッションＩＤ情報等を認証処理部３７に送出する。
【０２１１】
これにより認証処理部３７は、制御部２３の制御のもと認証情報記憶部３８において、音楽データ配信サーバＳＶ１から受信された有効期限の延長されているサービスセッションＩＤ情報等をその有効期限が延長される前のサービスセッションＩＤ情報等に上書きするようにして一時記憶することにより、上述のステップＳＰ２３において一時記憶していたサービスセッションＩＤ情報等を有効期限の延長されたサービスセッションＩＤ情報等に更新する。
【０２１２】
またページ情報生成部３６は、音楽データ配信用のページ情報に基づく映像データを生成し、当該生成した映像データを表示制御部２４に送出する。
【０２１３】
これにより表示制御部２４は、ページ情報生成部３６から与えられた映像データに対しディジタルアナログ変換処理を施し、得られたアナログ映像信号を表示部２５に送出することにより当該表示部２５にそのアナログ映像信号に基づく映像として音楽データ配信用のページを表示する。
【０２１４】
（１−７−３）音楽関連サービス提供処理
続いて図１０乃至図１３において、図９について上述したクライアント端末２と、音楽データ配信サーバＳＶ１、物販サーバＳＶ２及びラジオ放送情報配信サーバＳＶ３との間で実行されたユーザ認証処理手順の終了後に、当該ユーザ認証処理手順においてクライアント端末２が音楽データ配信サーバＳＶ１、物販サーバＳＶ２及びラジオ放送情報配信サーバＳＶ３から取得した音楽データ配信用のページ情報、パッケージメディア販売用のページ情報及びオンエアリスト情報配信用のページ情報等を利用して音楽データ配信サービス、物販サービス及びラジオ放送情報配信サービスの提供を受ける際の音楽関連サービス提供処理について説明する。
【０２１５】
（１−７−３−１）音楽データ配信サービス提供処理手順
まず図１０を用いてクライアント端末２が、音楽データ配信サーバＳＶ１から音楽データ配信サービスの提供を受ける際の音楽データ配信サービス提供処理手順について説明する。
【０２１６】
ステップＳＰ３０において、クライアント端末２の制御部２３は、表示部２５に映像として表示された音楽データ配信用のページの一部を選択する制御コマンドが入力処理部２１から入力されると、当該入力された制御コマンドに応じて、ダウンロード希望の音楽データをダウンロード要求するダウンロード要求信号を生成する。
【０２１７】
そして制御部２３は、そのダウンロード要求信号を、すでに音楽データ配信サーバＳＶ１で発行され認証情報記憶部３８に対し一時記憶されているサービスセッションＩＤ情報等と共に通信制御部３２及びネットワークインタフェース３３を順次介して音楽データ配信サーバＳＶ１に送信する。
【０２１８】
ステップＳＰ３１において、音楽データ配信サーバＳＶ１の制御部７０は、クライアント端末２から送信されたダウンロード要求信号と、サービスセッションＩＤ情報等とをネットワークインタフェース７３及び通信制御部７２を順次介して受信し、当該受信したサービスセッションＩＤ情報等を認証処理部７５に送出する。
【０２１９】
これにより認証処理部７５は、制御部７０の制御のもと、クライアント端末２から受信されたサービスセッションＩＤ情報等と、認証情報記憶部７７に対しすでに一時記憶しているサービスセッションＩＤ情報等とを比較するようにしてユーザ認証処理を実行する。
【０２２０】
その結果、制御部７０は、認証処理部７５により、クライアント端末２を利用して音楽データのダウンロードを要求したユーザが正規ユーザであると認証されると、次のステップＳＰ３２に移る。
【０２２１】
ステップＳＰ３２において、検索部７９は、ダウンロード要求信号に格納されている検索キーに基づいて、音楽データ記憶部７８内の複数の音楽データの中から当該検索キーの示す検索条件に該当するダウンロード希望の音楽データを検索する。
【０２２２】
そして制御部７０は、検索部７９により音楽データが検索されると、認証処理部７５により、クライアント端末２に対し発行していたサービスセッションＩＤ情報等の有効期限を延長させて、次のステップＳＰ３３に移る。
【０２２３】
ステップＳＰ３３において制御部７０は、音楽データ記憶部７８から、検索部７９によって検索されたダウンロード希望の音楽データを読み出すと共に、当該読み出したダウンロード希望の音楽データを、認証処理部７５により有効期限の延長されたサービスセッションＩＤ情報等と共に通信制御部７２及びネットワークインタフェース７３を順次介してクライアント端末２に送信する。
【０２２４】
ステップＳＰ３４において、クライアント端末２の制御部２３は、音楽データ配信サーバＳＶ１から送信されたダウンロード希望の音楽データと、有効期限の延長されたサービスセッションＩＤ情報等とをネットワークインタフェース３３及び通信制御部３２を順次介して受信し、当該受信した音楽データを記憶媒体２９に記憶すると共に、その音楽データ配信サーバＳＶ１から受信したサービスセッションＩＤ情報等を認証処理部３７に送出する。
【０２２５】
認証処理部３７は、制御部２３の制御のもと認証情報記憶部３８において、音楽データ配信サーバＳＶ１から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２２６】
このようにしてクライアント端末２は、音楽データ配信サーバＳＶ１の提供している音楽データ配信サービスを利用して、ユーザにより取得の希望された音楽データをダウンロードすることができる。
【０２２７】
（１−７−３−２）物販サービス提供処理手順
次に図１１を用いてクライアント端末２が、物販サーバＳＶ２から物販サービスの提供を受ける際の物販サービス提供処理手順について説明する。
【０２２８】
ステップＳＰ４０において、クライアント端末２の制御部２３は、表示部２５に映像として表示されたパッケージメディア販売用のページの一部を選択する制御コマンドが入力処理部２１から入力されると、当該入力された制御コマンドに応じた特定のパッケージメディアに関するパッケージメディア情報を要求するメディア情報要求信号を生成する。
【０２２９】
そして制御部２３は、そのメディア情報要求信号を、すでに物販サーバＳＶ２で発行され認証情報記憶部３８に対し一時記憶されているサービスセッションＩＤ情報等と共に通信制御部３２及びネットワークインタフェース３３を順次介して物販サーバＳＶ２に送信する。
【０２３０】
ステップＳＰ４１において、物販サーバＳＶ２の制御部９０は、クライアント端末２から送信されたメディア情報要求信号と、サービスセッションＩＤ情報等とをネットワークインタフェース９３及び通信制御部９２を順次介して受信し、当該受信したサービスセッションＩＤ情報等を認証処理部９５に送出する。
【０２３１】
認証処理部９５は、制御部９０の制御のもと、クライアント端末２から受信されたサービスセッションＩＤ情報等と、認証情報記憶部９７に対しすでに一時記憶しているサービスセッションＩＤ情報等とを比較するようにしてユーザ認証処理を実行する。
【０２３２】
その結果、制御部９０は、認証処理部９５により、クライアント端末２を利用してパッケージメディアに関するパッケージメディア情報を要求したユーザが正規ユーザであると認証されると、次のステップＳＰ４２に移る。
【０２３３】
ステップＳＰ４２において、検索部９９は、メディア情報要求信号に格納されている検索キーに基づいて、パッケージメディア情報記憶部９８内の複数のパッケージメディア情報の中から当該検索キーの示す検索条件に該当する特定のパッケージメディアのパッケージメディア情報を検索する。
【０２３４】
そして制御部９０は、検索部９９によりパッケージメディア情報が検索されると、認証処理部９５により、クライアント端末２に対し発行していたサービスセッションＩＤ情報等の有効期限を延長させて、次のステップＳＰ４３に移る。
【０２３５】
そしてステップＳＰ４３において制御部９０は、パッケージメディア情報記憶部９８から、検索部９９によって検索されたパッケージメディア情報を読み出すと共に、当該読み出したパッケージメディア情報を、認証処理部９５により有効期限の延長されたサービスセッションＩＤ情報等と共に通信制御部９２及びネットワークインタフェース９３を順次介してクライアント端末２に送信する。
【０２３６】
ステップＳＰ４４において、クライアント端末２の制御部２３は、物販サーバＳＶ２から送信されたパッケージメディア情報と、有効期限の延長されたサービスセッションＩＤ情報等とをネットワークインタフェース３３及び通信制御部３２を順次介して受信し、当該受信したパッケージメディア情報をページ情報生成部３６に送出すると共に、その物販サーバＳＶ２から受信したサービスセッションＩＤ情報等を認証処理部３７に送出する。
【０２３７】
認証処理部３７は、制御部２３の制御のもと認証情報記憶部３８において、物販サーバＳＶ２から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２３８】
またページ情報生成部３６は、制御部２３から与えられたパッケージメディア情報に基づいて映像データを生成し、当該生成した映像データを表示制御部２４によりアナログ映像信号に変換して表示部２５に送出する。
【０２３９】
このようにして制御部２３は、表示部２５に対しそのアナログ映像信号に基づく映像としてパッケージメディア情報を表示させると、次のステップＳＰ４５に移る。
【０２４０】
ステップＳＰ４５において、制御部２３は、表示部２５に映像として表示させたパッケージメディア情報に対応するパッケージメディアを購入要求する制御コマンドが入力処理部２１から入力されると、当該入力された制御コマンドに応じてそのパッケージメディアを購入要求する購入要求信号を生成する。
【０２４１】
そして制御部２３は、その購入要求信号を、すでに物販サーバＳＶ２から受信して認証情報記憶部３８に対し一時記憶されているサービスセッションＩＤ情報等（すなわち、有効期限の延長されたサービスセッションＩＤ情報等）と共に通信制御部３２及びネットワークインタフェース３３を順次介して物販サーバＳＶ２に送信する。
【０２４２】
ステップＳＰ４６において、物販サーバＳＶ２の制御部９０は、クライアント端末２から送信された購入要求信号と、サービスセッションＩＤ情報等とをネットワークインタフェース９３及び通信制御部９２を順次介して受信し、当該受信したサービスセッションＩＤ情報等を認証処理部９５に送出する。
【０２４３】
認証処理部９５は、制御部９０の制御のもと、クライアント端末２から受信されたサービスセッションＩＤ情報等と、認証情報記憶部９７に対しすでに一時記憶しているサービスセッションＩＤ情報等とを比較するようにしてユーザ認証処理を実行する。
【０２４４】
その結果、制御部９０は、認証処理部９５により、クライアント端末２を利用してパッケージメディアの購入を要求したユーザが正規ユーザであると認証されると、次のステップＳＰ４７に移る。
【０２４５】
ステップＳＰ４７において、制御部９０は、クライアント端末２を利用するユーザに対し、購入要求されたパッケージメディアを引き渡すための手続等の購入処理を実行すると共に、当該パッケージメディアの購入に伴うユーザに対する課金処理用の課金情報を通信制御部９２及びネットワークインタフェース９３を順次介して課金サーバＳＶ５に送信することにより、その課金サーバＳＶ５に対し当該ユーザに対するパッケージメディアの購入に応じた課金処理を実行させる。
【０２４６】
また制御部９０は、認証処理部９５により、クライアント端末２に対し発行していたサービスセッションＩＤ情報等の有効期限を延長させる。
【０２４７】
ステップＳＰ４８において、制御部９０は、課金処理終了後、パッケージメディアの購入処理が完了したことを示す購入完了ページ情報を、認証処理部９５により有効期限の延長されたサービスセッションＩＤ情報等と共に通信制御部９２及びネットワークインタフェース９３を順次介してクライアント端末２に送信する。
【０２４８】
ステップＳＰ４９において、クライアント端末２の制御部２３は、物販サーバＳＶ２から送信された購入完了ページ情報と、有効期限の延長されたサービスセッションＩＤ情報等とをネットワークインタフェース３３及び通信制御部３２を順次介して受信し、当該受信した購入完了ページ情報をページ情報生成部３６に送出すると共に、その物販サーバＳＶ２から受信したサービスセッションＩＤ情報等を認証処理部３７に送出する。
【０２４９】
認証処理部３７は、制御部２３の制御のもと認証情報記憶部３８において、物販サーバＳＶ２から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２５０】
またページ情報生成部３６は、制御部２３から与えられた購入完了ページ情報に基づく映像データを生成し、当該生成した映像データを表示制御部２４によりアナログ映像信号に変換して表示部２５に送出する。
【０２５１】
これにより制御部２３は、表示部２５に対しそのアナログ映像信号に基づく映像として購入完了ページを表示させる。
【０２５２】
このようにしてクライアント端末２は、物販サーバＳＶ２の提供している物販サービスを利用して、ユーザに対して所望のパッケージメディアを購入させることができる。
【０２５３】
（１−７−３−３）オンエアリスト情報配信サービス提供処理手順
次に図１２を用いてクライアント端末２が、ラジオ放送情報配信サーバＳＶ３からラジオ放送情報配信サービスとして特にオンエアリスト情報配信サービスの提供を受ける際のラジオ放送情報配信サービス提供処理手順について説明する。
【０２５４】
ステップＳＰ６０において、クライアント端末２の制御部２３は、表示部２５に映像として表示させたオンエアリスト情報配信用のページ上で入力ボックスに対し取得希望のオンエアリスト情報検索用の検索キーが入力され、当該入力された検索キーを示す文字列に対応する制御コマンドが入力処理部２１から入力されると、当該入力された制御コマンドに応じて、取得希望のオンエアリスト情報をダウンロード要求するオンエアリスト情報要求信号を生成する。
【０２５５】
そして制御部２３は、そのオンエアリスト情報要求信号を、すでにラジオ放送情報配信サーバＳＶ３で発行され認証情報記憶部３８に対し一時記憶されているサービスセッションＩＤ情報等と共に通信制御部３２及びネットワークインタフェース３３を順次介してラジオ放送情報配信サーバＳＶ３に送信する。
【０２５６】
ステップＳＰ６１において、ラジオ放送情報配信サーバＳＶ３の制御部１１０は、クライアント端末２から送信されたオンエアリスト情報要求信号と、サービスセッションＩＤ情報等とをネットワークインタフェース１１３及び通信制御部１１２を順次介して受信し、当該受信したサービスセッションＩＤ情報等を認証処理部１１５に送出する。
【０２５７】
認証処理部１１５は、制御部１１０の制御のもと、クライアント端末２から受信されたサービスセッションＩＤ情報等と、認証情報記憶部１２０に対しすでに一時記憶しているサービスセッションＩＤ情報等とを比較するようにしてユーザ認証処理を実行する。
【０２５８】
その結果、制御部１１０は、認証処理部１１５により、クライアント端末２を利用してオンエアリスト情報を要求したユーザが正規ユーザであると認証されると、次のステップＳＰ６２に移る。
【０２５９】
ステップＳＰ６２において、検索部１１８は、オンエアリスト情報要求信号に格納されている検索キーに基づいて、オンエアリスト情報記憶部１１７内のオンエアリスト情報全体に対し、当該検索キーの示す検索条件に該当する所定範囲部分を取得希望のオンエアリスト情報として検索する。
【０２６０】
そして制御部１１０は、検索部１１８によりオンエアリスト情報が検索されると、認証処理部１１５により、クライアント端末２に対し発行していたサービスセッションＩＤ情報等の有効期限を延長させて、次のステップＳＰ６３に移る。
【０２６１】
そしてステップＳＰ６３において制御部１１０は、オンエアリスト情報記憶部１１７から、検索部１１８によって検索されたオンエアリスト情報を読み出すと共に、当該読み出したオンエアリスト情報を、認証処理部１１５により有効期限の延長されたサービスセッションＩＤ情報等と共に通信制御部１１２及びネットワークインタフェース１１３を順次介してクライアント端末２に送信する。
【０２６２】
ステップＳＰ６４において、クライアント端末２の制御部２３は、ラジオ放送情報配信サーバＳＶ３から送信されたオンエアリスト情報と、有効期限の延長されたサービスセッションＩＤ情報等とをネットワークインタフェース３３及び通信制御部３２を順次介して受信し、当該受信したオンエアリスト情報をページ情報生成部３６に送出すると共に、そのラジオ放送情報配信サーバＳＶ３から受信したサービスセッションＩＤ情報等を認証処理部３７に送出する。
【０２６３】
認証処理部３７は、制御部２３の制御のもと認証情報記憶部３８において、ラジオ放送情報配信サーバＳＶ３から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２６４】
またページ情報生成部３６は、制御部２３から与えられたオンエアリスト情報に基づいて映像データを生成し、当該生成した映像データを表示制御部２４によりアナログ映像信号に変換して表示部２５に送出することにより当該表示部２５に対しそのアナログ映像信号に基づく映像としてオンエアリスト情報を表示させる。
【０２６５】
このようにしてクライアント端末２は、ラジオ放送情報配信サーバＳＶ３の提供しているラジオ放送情報配信サービスを利用して、ユーザに対して所望のオンエアリスト情報を取得させることができる。
【０２６６】
（１−７−３−４）ナウオンエア情報配信サービス提供処理手順
次に図１３を用いてクライアント端末２が、ラジオ放送情報配信サーバＳＶ３からラジオ放送情報配信サービスとして特にナウオンエア情報配信サービスの提供を受ける際のラジオ放送情報配信サービス提供処理手順について説明する。
【０２６７】
ただしナウオンエア情報を提供するラジオ放送情報配信サーバＳＶ３は、ラジオ局（コールサイン）毎に設けられている。
【０２６８】
そしてクライアント端末２には、初期状態において、各ラジオ局に対応するラジオ放送情報配信サーバＳＶ３のＵＲＬ情報が記憶されていない場合がある。
【０２６９】
そのため以下のラジオ放送情報配信サービス提供処理手順については、各ラジオ放送情報配信サーバＳＶ３のＵＲＬ情報をラジオ局のコールサイン毎にポータルサーバ３が管理している場合を例に挙げて説明する。
【０２７０】
またかかるラジオ放送情報配信サービス提供処理手順では、クライアント端末２が、ラジオ局毎の放送周波数を自動プリセットするためにポータルサーバ３に対して当該放送周波数を示す周波数情報を要求するときに、認証情報記憶部３８に対し認証セッションＩＤ情報等を一時記憶してはいない場合を想定している。このため、まずクライアント端末２は、ポータルサーバ３に対しユーザＩＤ情報及びパスワード情報等を送信することになる。
【０２７１】
ステップＳＰ７０において、クライアント端末２の制御部２３は、入力処理部２１から各ラジオ局の放送周波数を自動プリセットするように要求する操作コマンドが入力されると、これに応じて各ラジオ局の受信可能な放送周波数の周波数情報を取得要求する周波数情報要求信号を、ユーザにより入力された地域コードと、認証情報記憶部３８に記憶されているユーザＩＤ情報及びパスワード情報等と共に通信制御部３２及びネットワークインタフェース３３を順次介してポータルサーバ３に送信する。
【０２７２】
ステップＳＰ７１において、ポータルサーバ３の制御部５０は、クライアント端末２から送信された周波数情報要求信号、地域コード、ユーザＩＤ情報及びパスワード情報等をネットワークインタフェース５３及び通信制御部５２を順次介して受信し、そのクライアント端末２から受信したユーザＩＤ情報及びパスワード情報等を認証処理部５６に送出する。
【０２７３】
認証処理部５６は、制御部５０の制御のもと、クライアント端末２から受信されたユーザＩＤ情報及びパスワード情報等と、顧客データベース部５４に登録している顧客情報とを比較するようにしてユーザ認証処理を実行する。
【０２７４】
その結果、認証処理部５６は、クライアント端末２を利用するユーザを正規ユーザであると認証し、当該クライアント端末２からの周波数情報の取得要求が正当な要求であると判断すると、制御部５０の制御のもと、現時点のクライアント端末２とポータルサーバ３との通信接続状態に対する認証セッションＩＤ情報等を発行し、当該発行した認証セッションＩＤ情報等を認証情報記憶部５７に一時記憶する。
【０２７５】
そして制御部５０は、このように認証処理部５６によりユーザが正規ユーザであると認証されると、次のステップＳＰ７２に移る。
【０２７６】
ステップＳＰ７２において、制御部５０は、クライアント端末２から受信した地域コードに基づいて、周波数情報記憶部５８内の複数の周波数情報、ラジオ局名及びコールサインのリストの中から当該地域コードに対応する周波数情報、ラジオ局名及びコールサインを検索してリスト化し読み出す。
【０２７７】
これにより制御部５０は、周波数情報記憶部５８からリスト化して読み出した周波数情報、ラジオ局名及びコールサインを、上述のステップＳＰ７１において認証処理部５６によりクライアント端末２に対して発行された認証セッションＩＤ情報等と共に通信制御部５２及びネットワークインタフェース５３を順次介してクライアント端末２に送信する。
【０２７８】
ステップＳＰ７３において、クライアント端末２の制御部２３は、ポータルサーバ３から送信された周波数情報、ラジオ局名及びコールサインのリストと、認証セッションＩＤ情報等とをネットワークインタフェース３３及び通信制御部３２を順次介して受信し、当該ポータルサーバ３から受信した認証セッションＩＤ情報等を認証処理部３７に送出すると共に、周波数情報、ラジオ局名及びコールサインのリストを表示制御部２４に送出する。
【０２７９】
これにより認証処理部３７は、制御部２３の制御のもと、ポータルサーバ３から受信された認証セッションＩＤ情報等を認証情報記憶部３８に一時記憶する。
【０２８０】
また表示制御部２４は、制御部２３から与えられた周波数情報、ラジオ局名及びコールサインのリストを表示部２５に送出することにより当該表示部２５に対しそのリストを表示させる。
【０２８１】
さらに制御部２３は、このとき入力処理部２１から入力される選択コマンドに基づき、選択された周波数情報、ラジオ局名及びコールサインを記憶媒体２９にプリセットとして記憶して、次のステップＳＰ７４に移る。
【０２８２】
ステップＳＰ７４において、制御部２３は、入力処理部２１から入力されるチューニング制御コマンドに応じて、チューナ部３１を、ラジオ放送波の中からチューニング制御コマンドに対応する放送周波数で放送されているラジオ放送のラジオ放送信号を抽出するように制御する。
【０２８３】
これによりチューナ部３１は、放送信号受信部３０により受信されたラジオ放送波の中から、その放送周波数で放送されているラジオ放送信号を抽出して復号等の所定の受信処理を施し、この結果得られた音声データを音声制御部２６に送出する。
【０２８４】
従って音声制御部２６は、チューナ部３１から与えられる音声データをアナログ音声信号に変換してスピーカ２７に送出することにより当該スピーカ２７から、選択されたラジオ番組の音声を出力させることができる。
【０２８５】
ステップＳＰ７５において、ラジオ放送表示制御部３９は、制御部２３の制御のもと、記憶媒体２９から、上述のチューニング制御コマンドに対応する放送周波数を示す周波数情報に対応して記憶されているコールサインを読み出すと共に、当該読み出したコールサインを、認証情報記憶部３８に対しすでに一時記憶されている認証セッションＩＤ情報等と共に通信制御部３２及びネットワークインタフェース３３を順次介してポータルサーバ３に送信する。
【０２８６】
ステップＳＰ７６において、ポータルサーバ３の制御部５０は、クライアント端末２から送信されたコールサイン及び認証セッションＩＤ情報等をネットワークインタフェース５３及び通信制御部５２を順次介して受信し、当該受信した認証セッションＩＤ情報等を認証処理部５６に送出する。
【０２８７】
認証処理部５６は、制御部５０の制御のもと、クライアント端末２から受信された認証セッションＩＤ情報等と、認証情報記憶部５７に対しすでに一時記憶している認証セッションＩＤ情報等とを比較するようにしてユーザ認証処理を実行する。
【０２８８】
その結果、制御部５０は、認証処理部５６により、クライアント端末２から受信した認証セッションＩＤ情報等が有効期限内のものであり、当該クライアント端末２を利用してコールサインを送信したユーザが正規ユーザであると認証されると、次のステップＳＰ７７に移る。
【０２８９】
ステップＳＰ７７において、制御部５０は、クライアント端末２から受信したコールサインに基づいて、ＵＲＬ記憶部５９内の複数のＵＲＬ情報の中から当該コールサインに対応付けられたＵＲＬ情報を検索する。
【０２９０】
また制御部５０は、認証処理部５６により、クライアント端末２に対し発行していた認証セッションＩＤ情報等の有効期限を延長させる。
【０２９１】
そして制御部５０は、ＵＲＬ記憶部５９から、その検索したＵＲＬ情報を読み出すと共に、当該読み出したＵＲＬ情報を、認証処理部５６により有効期限の延長された認証セッションＩＤ情報等と共に通信制御部５２及びネットワークインタフェース５３を順次介してクライアント端末２に送信する。
【０２９２】
ステップＳＰ７８において、クライアント端末２の制御部２３は、ポータルサーバ３から送信されたＵＲＬ情報と、有効期限の延長された認証セッションＩＤ情報等とをネットワークインタフェース３３及び通信制御部３２を順次介して受信し、当該受信した認証セッションＩＤ情報等を認証処理部３７に送出すると共に、ＵＲＬ情報をラジオ放送表示制御部３９に送出する。
【０２９３】
認証処理部３７は、制御部２３の制御のもと認証情報記憶部３８において、ポータルサーバ３から受信された有効期限の延長されている認証セッションＩＤ情報等をその有効期限が延長される前の認証セッションＩＤ情報等に上書きするようにして一時記憶することにより、当該認証情報記憶部３８に対しすでに一時記憶している認証セッションＩＤ情報等の内容を更新する。
【０２９４】
またラジオ放送表示制御部３９は、制御部２３の制御のもとに、当該制御部２３から与えられたＵＲＬ情報を、記憶媒体２９に記憶しているコールサインに対応付けて記憶媒体２９等に一時記憶する。
【０２９５】
そしてラジオ放送表示制御部３９は、制御部２３の制御のもとに、記憶媒体２９等に一時記憶したＵＲＬ情報に従って、ナウオンエア情報を取得要求するナウオンエア情報要求信号を、すでにラジオ放送情報配信サーバＳＶ３から受信され認証情報記憶部３８に対し一時記憶されているサービスセッションＩＤ情報等と共に通信制御部３２及びネットワークインタフェース３３を順次介してラジオ放送情報配信サーバＳＶ３に送信する。
【０２９６】
ここでかかるラジオ放送情報配信サービス提供処理手順では、ステップＳＰ７８においてクライアント端末２からナウオンエア情報要求信号及びサービスセッションＩＤ情報等をラジオ放送情報配信サーバＳＶ３に送信する処理が、図９について上述したステップＳＰ１０の処理に対応している。
【０２９７】
従ってこのラジオ放送情報配信サービス提供処理手順では、ステップＳＰ７８の処理に引き続き、クライアント端末２及びラジオ放送情報配信サーバＳＶ３並びにポータルサーバ３において、図９について上述したステップＳＰ１１乃至ステップＳＰ１３及びステップＳＰ１８乃至ステップＳＰ２２と同様のユーザ認証処理を順次実行した後、続くステップＳＰ７９に移る。
【０２９８】
ステップＳＰ７９において、クライアント端末２のラジオ放送表示制御部３９は、制御部２３の制御のもとに再び、記憶媒体２９等に一時記憶していたＵＲＬ情報に従ってナウオンエア情報要求信号を、すでにラジオ放送情報配信サーバＳＶ３から受信して認証情報記憶部３８に対し一時記憶されているサービスセッションＩＤ情報等と共に通信制御部３２及びネットワークインタフェース３３を順次介してラジオ放送情報配信サーバＳＶ３に送信する。
【０２９９】
ステップＳＰ８０において、ラジオ放送情報配信サーバＳＶ３の制御部１１０は、クライアント端末２から送信されたナウオンエア情報要求信号と、サービスセッションＩＤ情報等とをネットワークインタフェース１１３及び通信制御部１１２を順次介して受信し、当該受信した認証セッションＩＤ情報等を認証処理部１１５に送出する。
【０３００】
これにより認証処理部１１５は、制御部１１０の制御のもと、クライアント端末２から受信されたサービスセッションＩＤ情報等と、認証情報記憶部１２０に対しすでに一時記憶しているサービスセッションＩＤ情報等とを比較するようにしてユーザ認証処理を実行する。
【０３０１】
その結果、認証処理部１１５は、クライアント端末２を利用するユーザを正規ユーザであると認証すると、当該クライアント端末２からのナウオンエア情報の取得要求が正当な要求であると判断する。
【０３０２】
そして制御部１１０は、認証処理部１１５により、クライアント端末２を利用するユーザが正規ユーザであると認証されると、当該認証処理部１１５により、そのクライアント端末２に対し発行していたサービスセッションＩＤ情報等の有効期限を延長させて、次のステップＳＰ８１に移る。
【０３０３】
ステップＳＰ８１において、制御部１１０は、ナウオンエア情報記憶部１１９からナウオンエア情報を読み出し、当該読み出したナウオンエア情報を、認証処理部１１５により有効期限の延長されたサービスセッションＩＤ情報等と共に通信制御部１１２及びネットワークインタフェース１１３を順次介してクライアント端末２に送信する。
【０３０４】
ステップＳＰ８２において、クライアント端末２の制御部２３は、ラジオ放送情報配信サーバＳＶ３から送信されたナウオンエア情報と、有効期限の延長されたサービスセッションＩＤ情報等とをネットワークインタフェース３３及び通信制御部３２を順次介して受信し、当該受信したサービスセッションＩＤ情報等を認証処理部３７に送出すると共に、ナウオンエア情報をラジオ放送表示制御部３９に送出する。
【０３０５】
これにより認証処理部３７は、制御部２３の制御のもと認証情報記憶部３８において、ラジオ放送情報配信サーバＳＶ３から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０３０６】
またラジオ放送表示制御部３９は、制御部２３から与えられたナウオンエア情報を表示制御部２４を介して表示部２５に送出することにより、当該表示部２５に対し、現在受信中のラジオ放送のラジオ番組に関するナウオンエア情報を表示させる。
【０３０７】
そしてかかるラジオ放送情報配信サービス提供処理手順では、この後、クライアント端末２がステップＳＰ７９におけるナウオンエア情報の取得要求を定期的に繰り返し実行すると共に、ラジオ放送情報配信サーバＳＶ３がクライアント端末２からその取得要求を受けてステップＳＰ８０及びステップＳＰ８１の処理を順次実行する。
【０３０８】
これによりクライアント端末２では、現在受信中のラジオ番組の番組名、番組放送開始時刻、番組放送終了時刻、そのラジオ番組内で現在流れている楽曲のタイトル、アーティスト名、楽曲放送開始時刻等をナウオンエア情報として時々刻々と更新しながらクライアント端末２の表示部２５に表示することができる。
【０３０９】
（１−８）クライアント端末２のハードウェア回路ブロック構成
（１−８−１）回路構成
次にクライアント端末２のハードウェア回路ブロックによるハードウェア構成を説明する。かかるクライアント端末２のハードウェア回路ブロックによるハードウェア構成では、一部の機能を後述するソフトウェアモジュールに従って実現している。
【０３１０】
図１４に示すようにクライアント端末２は、その筐体表面やリモートコントローラ（図示せず）に設けられた各種操作ボタンでなる操作入力部２００がユーザによって操作されると、当該操作入力部２００でこれを認識し、当該操作に応じた操作入力信号を入力処理部２０１へ送出する。
【０３１１】
入力処理部２０１は、供給される操作入力信号に対して所定の処理を施すことにより、当該操作入力信号を操作コマンドに変換し、これをバス２０２を介してＣＰＵ（Central Processing Unit）２０３に供給する。
【０３１２】
ＣＰＵ２０３は、ＲＯＭ（Read Only Memory）２０４に予め格納されている基本プログラムやアプリケーションプログラム等の各種プログラムをバス２０２を介してＲＡＭ（Random Access Memory）２０５に読み出し、これら各種プログラムに従って全体を制御すると共に、所定の演算処理や、入力処理部２０１から供給される操作コマンドに応じた各種処理を実行する。
【０３１３】
ディスプレイ２０６は、例えば液晶ディスプレイ等の表示デバイスであって、筐体表面に直接取り付けられている場合や外付けされている場合がある。
【０３１４】
そしてディスプレイ２０６は、ＣＰＵ２０３による処理結果や各種映像データが表示処理部２０７を介してアナログ映像信号として供給されると、当該アナログ映像信号に基づく映像を表示する。
【０３１５】
メディアドライブ２０８は、例えばＣＤや、フラッシュメモリが外装ケースに内包されるメモリスティック（登録商標）に記録されたコンテンツデータを読み出して再生し、又は当該ＣＤやメモリスティックに対し記録対象のコンテンツデータを記録する。
【０３１６】
そしてメディアドライブ２０８は、ＣＤやメモリスティックからコンテンツデータとして映像データを読み出したときには、当該再生した映像データをバス２０２を介して表示処理部２０７に供給する。
【０３１７】
またメディアドライブ２０８は、ＣＤやメモリスティックからコンテンツデータとして音声データを読み出したときには、当該再生した音声データを音声処理部２０９に供給する。
【０３１８】
表示処理部２０７は、バス２０２を介して供給される映像データに対してディジタルアナログ変換処理を施し、その結果得られるアナログ映像信号をディスプレイ２０６に供給することにより、当該ディスプレイ２０６にそのアナログ映像信号に基づく映像を表示させる。
【０３１９】
また音声処理部２０９は、バス２０２を介して供給される音声データに対してディジタルアナログ変換処理を施し、その結果得られるアナログ音声信号を２チャンネルのスピーカ２１０に送出することにより、当該スピーカ２１０からそのアナログ音声信号に基づくステレオ音声を出力させる。
【０３２０】
さらにＣＰＵ２０３は、メディアドライブ２０８で読み出したコンテンツデータをバス２０２を介してハードディスクドライブ２１１に送出することにより、当該ハードディスクドライブ２１１にそのコンテンツデータをコンテンツファイルとして記憶し得るようにもなされている。
【０３２１】
因みにＣＰＵ２０３は、ハードディスクドライブ２１１に対して記憶したコンテンツデータを、図３について上述したディレクトリ構成で管理している。
【０３２２】
そしてＣＰＵ２０３は、ハードディスクドライブ２１１に記憶したコンテンツファイルを当該ハードディスクドライブ２１１からコンテンツデータとして読み出すこともできる。
【０３２３】
なおＣＰＵ２０３は、ハードディスクドライブ２１１からコンテンツデータとして映像データを読み出したときには、当該読み出した映像データをバス２０２を介して表示処理部２０７に供給する。
【０３２４】
またＣＰＵ２０３は、ハードディスクドライブ２１１からコンテンツデータとして音声データを読み出したときには、当該読み出した音声データを音声処理部２０９に供給する。
【０３２５】
アンテナ２１２は、各ラジオ局から送信されてくるラジオ放送波を受信し、これをＡＭ／ＦＭチューナでなるチューナ２１３に送出する。
【０３２６】
チューナ２１３は、ＣＰＵ２０３の制御のもと、アンテナ２１２を介して受信されたラジオ放送波の中から例えば操作入力部２００を介して指定されたラジオ局に対応する放送周波数のラジオ放送信号を抽出して所定の受信処理を施し、この結果得られる音声データをバス２０２を介して音声処理部２０９に供給する。
【０３２７】
音声処理部２０９は、チューナ２１３から与えられた音声データをアナログ音声信号に変換してスピーカ２１０に送出することにより、当該スピーカ２１０からラジオ局で放送されているラジオ番組の番組音声を出力させ、かくしてユーザに対しラジオ番組の番組音声を聴取させることができる。
【０３２８】
またＣＰＵ２０３は、チューナ２１３で得られた音声データをハードディスクドライブ２１１に送出して記録することにより、ラジオ番組の番組音声を録音することもできる。
【０３２９】
さらにＣＰＵ２０３は、通信処理部２１４、ネットワークインタフェース２１５を順次介してネットワークＮＴに接続し、当該ネットワークＮＴ上のポータルサーバ３やその他サーバＳＶ１乃至ＳＶ４にアクセスすることができ、これによりポータルサーバ３やその他サーバＳＶ１乃至ＳＶ４との間で各種データを送受信することができる。
【０３３０】
（１−８−２）プログラムモジュール構成
図１５に示すように、上述の図１４に示したハードウェア回路ブロックによるハードウェア構成のクライアント端末２に実装されるプログラムモジュールとしては、ＯＳ上で動作するようになされており、ポータルサーバ３やその他サーバＳＶ１乃至ＳＶ４との間でやりとりを行う。
【０３３１】
ＨＴＴＰ(Hyper Text Transfer Protocol)メッセージプログラム２４０は、ポータルサーバ３やその他サーバＳＶ１乃至ＳＶ４との間のやりとりをＨＴＴＰ通信で行うものであり、コミュニケータプログラム２４１は、ＨＴＴＰメッセージプログラム２４０とデータのやりとりを行うプログラムモジュールである。
【０３３２】
コミュニケータプログラム２４１の上位には、コンテンツのコーデックを解釈して再生するコンテンツ再生モジュール２４２、著作権保護に関する情報を取り扱う著作権保護管理モジュール２４３が位置し、そのコンテンツ再生モジュール２４２、著作権保護管理モジュール２４３の上位に対して、インターネットラジオの選局及び再生を行うインターネットラジオ選局再生モジュール２４４、楽曲購入及び試聴曲の再生を司る楽曲購入再生モジュール２４５がそれぞれ位置している。
【０３３３】
インターネットラジオ選局再生モジュール２４４と、楽曲購入再生モジュール２４５とにより再生された音声データは、音声処理部２０９に転送されることにより、最終的にスピーカ２１０から音声として出力される。
【０３３４】
インターネットラジオ選局再生モジュール２４４、楽曲購入再生モジュール２４５の上位にはＸＭＬブラウザ２４６が位置し、各種サーバからのＸＭＬファイルを解釈し、ディスプレイ２０６に対して映像表示を行う。
【０３３５】
例えば、ＸＭＬブラウザ２４６を介してユーザに選択された楽曲は楽曲購入再生モジュール２４５で購入処理され、ハードディスクコンテンツコントローラ２４７を介してハードディスクドライブ２１１に書き込まれる。
【０３３６】
なおコミュニケータプログラム２４１には、ライブラリ２４８の認証ライブラリ２４８Ａが接続されており、当該認証ライブラリ２４８Ａはポータルサーバ３等と連携して各種認証処理を行うようになされている。
【０３３７】
さらにコミュニケータプログラム２４１の上位には、データベースアクセスモジュール２４９、コンテンツデータアクセスモジュール２５０及びハードディスクコンテンツコントローラ２４７が位置する。
【０３３８】
このデータベースアクセスモジュール２４９は、ハードディスクドライブ２１１に構築された各種データベースにアクセスし、コンテンツデータアクセスモジュール２５０はハードディスクドライブ２１１に格納されたコンテンツデータにアクセスし、ハードディスクコンテンツコントローラ２４７はハードディスクドライブ２１１に格納されたコンテンツデータを管理するようになされている。
【０３３９】
ハードディスクコンテンツコントローラ２４７の上位には、ラジオ局が放送した楽曲のタイトルやアーティスト名等を表示するためのラジオ放送情報表示モジュール２５１、及びラジオ局を選局したり、当該ラジオ局から受信した楽曲としてのコンテンツデータをハードディスクドライブ２１１に記憶（録音）するチューナ選局再生／録音モジュール２５２が位置している。
【０３４０】
例えば、オーディオユーザインタフェース２５３を介して選局されたラジオ局から受信した楽曲は、コンテンツデータアクセスモジュール２５０を介してハードディスクドライブ２１１へ書き込まれるようになされている。
【０３４１】
またチューナ選局再生／録音モジュール２５２により再生されたコンテンツデータとしての音声データは、音声処理部２０９に転送されることにより、最終的にスピーカ２１０から音声として出力される。
【０３４２】
ラジオ放送情報表示モジュール２５１は、チューナ選局再生／録音モジュール２５２によって現在ラジオ局が放送している楽曲のタイトルやアーティスト名等のナウオンエア情報のようなラジオ放送情報をラジオ放送情報配信サーバＳＶ３からＨＴＴＰメッセージプログラム２４０経由で受信し、これをオーディオユーザインタフェース（ＵＩ）２５３を介してディスプレイ２０６に表示する。
【０３４３】
なおオーディオユーザインタフェース２５３を介してディスプレイ２０６に表示したラジオ放送情報は、ライブラリ２４８のクリップライブラリ２４８Ｂに一時的に記憶することもでき、ユーザからの指示に従って最終的にはデータベースアクセスモジュール２４９を介してハードディスクドライブ２１１へ記憶される。
【０３４４】
ＣＤ再生モジュール２５４は、メディアドライブ２０８に対してＣＤを再生するように制御する。
【０３４５】
そしてＣＤ再生モジュール２５４によりＣＤから再生された音声データは、音声処理部２０９に転送されることにより、最終的にスピーカ２１０から音声として出力される。
【０３４６】
ＨＤＤ再生モジュール２５５は、図示はしていないが、ハードディスクコンテンツコントローラ２４７及び著作権保護管理モジュール２４３と接続されている。
【０３４７】
これによりＨＤＤ再生モジュール２５５は、ハードディスクコンテンツコントローラ２４７の制御のもとにハードディスクドライブ２１１から読み出されたコンテンツデータとしての音声データを、著作権保護管理モジュール２４３から供給される著作権管理情報に従って再生する。
【０３４８】
そしてＨＤＤ再生モジュール２５５により著作権管理情報に従って再生された音声データは、音声処理部２０９に転送されることにより、最終的にスピーカ２１０から音声として出力される。
【０３４９】
リッピングモジュール２５６は、図示はしていないが、ハードディスクコンテンツコントローラ２４７及び著作権保護管理モジュール２４３と接続されている。
【０３５０】
これによりリッピングモジュール２５６は、ＣＤ再生モジュール２５４によりＣＤから再生された音声データを、著作権保護管理モジュール２４３から供給される、その音声データを管理するための著作権管理情報と共に、ハードディスクコンテンツコントローラ２４７の制御のもとハードディスクドライブ２１１のハードディスクに記憶される（すなわち、リッピングされる）ように、ＣＤ再生モジュール２５４、著作権保護管理モジュール２４３及びハードディスクコンテンツコントローラ２４７を制御する。
【０３５１】
ところで以上説明したプログラムモジュールにおいてＨＴＴＰメッセージプログラム２４０及びコミュニケータプログラム２４１は、図２について上述したクライアント端末２の通信制御部３２と同様の機能を実現可能なプログラムモジュールである。
【０３５２】
またコンテンツ再生モジュール２４２は、図２について上述したクライアント端末２のエンコーダ／デコーダ部３４と同様の機能を実現可能なプログラムモジュールである。
【０３５３】
さらに著作権保護管理モジュール２４３は、図２について上述したクライアント端末２の著作権管理部３５と同様の機能を実現可能なプログラムモジュールである。
【０３５４】
さらにインターネットラジオ選局再生モジュール２４４は、図２について上述したクライアント端末２の制御部２３及び音声制御部２６と同様の機能を実現可能なプログラムモジュールである。
【０３５５】
さらに楽曲購入再生モジュール２４５は、図２について上述したクライアント端末２の制御部２３及び音声制御部２６と同様の機能を実現可能なプログラムモジュールである。
【０３５６】
さらにＸＭＬブラウザ２４６は、図２について上述したクライアント端末２の入力処理部２１及びページ情報生成部３６と同様の機能を実現可能なプログラムモジュールである。
【０３５７】
さらにハードディスクコンテンツコントローラ２４７及びデータベースアクセスモジュール２４９並びにコンテンツデータアクセスモジュール２５０は、図２について上述したクライアント端末２の制御部２３と同様の機能を実現可能なプログラムモジュールである。
【０３５８】
さらにライブラリ２４８の認証ライブラリ２４８Ａは、図２について上述したクライアント端末２の認証処理部３７及び認証情報記憶部３８と同様の機能を実現可能なプログラムモジュールである。
【０３５９】
さらにライブラリ２４８のクリップライブラリ２４８Ｂは、図２について上述したクライアント端末２の制御部２３と同様の機能を実現可能なプログラムモジュールである。
【０３６０】
さらにラジオ放送情報表示モジュール２５１は、図２について上述したクライアント端末２のラジオ放送表示制御部３９と同様の機能を実現可能なプログラムモジュールである。
【０３６１】
さらにチューナ選局再生／録音モジュール２５２は、図２について上述したクライアント端末２の制御部２３及び音声制御部２６並びにチューナ部３１と同様の機能を実現可能なプログラムモジュールである。
【０３６２】
さらにオーディオユーザインタフェース２５３は、図２について上述したクライアント端末２の入力処理部２１及び制御部２３並びに表示制御部２４と同様の機能を実現可能なプログラムモジュールである。
【０３６３】
さらにＣＤ再生モジュール２５４は、図２について上述したクライアント端末２の音声制御部２６及び外部記録媒体記録再生部２８と同様の機能を実現可能なプログラムモジュールである。
【０３６４】
さらにＨＤＤ再生モジュール２５５は、図２について上述したクライアント端末２の制御部２３及び音声制御部２６と同様の機能を実現可能なプログラムモジュールである。
【０３６５】
さらにリッピングモジュール２５６は、図２について上述したクライアント端末２の制御部２３及び外部記録媒体記録再生部２８並びにエンコーダ／デコーダ部３４と同様の機能を実現可能なプログラムモジュールである。
【０３６６】
従って図１４について上述したハードウェア回路ブロックによるハードウェア構成のクライアント端末２では、ＣＰＵ２０３が上述の各種プログラムモジュールに従って、図２について上述した機能回路ブロックによるハードウェア構成のクライアント端末２と同様の処理を実行することができる。
【０３６７】
（１−９）各サーバのハードウェア回路ブロック構成
次に、ポータルサーバ３、音楽データ配信サーバＳＶ１、物販サーバＳＶ２、ラジオ放送情報配信サーバＳＶ３のハードウェア回路ブロックによるハードウェア構成について説明する。
【０３６８】
ただしこれらポータルサーバ３、音楽データ配信サーバＳＶ１、物販サーバＳＶ２、ラジオ放送情報配信サーバＳＶ３は、ハードウェア回路ブロックにより構成する場合、各種機能をソフトウェアによって実現可能であるため、同様のハードウェア構成とすることができる。
【０３６９】
従ってまず図１６を用いて、ポータルサーバ３、音楽データ配信サーバＳＶ１、物販サーバＳＶ２、ラジオ放送情報配信サーバＳＶ３のいずれにも適用可能なサーバのハードウェア回路ブロックによる基本的なハードウェア構成を説明する。
【０３７０】
かかるサーバは、全体を統括的に制御するＣＰＵ２７０が、ＲＯＭ２７１又はハードディスクドライブ２７２に記憶されている基本プログラムやアプリケーションプログラム等の各種プログラムを、バス２７３を介してＲＡＭ２７４に適宜展開しこれを実行することにより各種処理を行う。
【０３７１】
ハードディスクドライブ２７２には、コンテンツデータやネットワーク上で公開可能なページ情報等の各種データ及び情報を一時的又は永続的に記憶することができると共に、ハードディスク内にデータベースを構築して顧客情報等の各種登録情報を登録することもできる。
【０３７２】
またＣＰＵ２７０は、ハードディスクドライブ２７２から各種データ及び情報並びに各種登録情報を読み出し、当該読み出した各種データ及び情報並びに各種登録情報を用いて各種処理を実行することができる。
【０３７３】
ネットワークインタフェース２７５は、ネットワークＮＴを介してクライアント端末２や他のサーバと、各種データ及び各種情報の送受信用に接続することができる。
【０３７４】
そしてかかるサーバは、基本的にＣＰＵ２７０がＲＯＭ２７１又はハードディスクドライブ２７２に記憶された各種プログラムに従って各種処理を行っている。
【０３７５】
このためかかるサーバでは、図４について上述した機能回路ブロックによるハードウェア構成のポータルサーバ３の機能に応じて、ＲＯＭ２７１又はハードディスクドライブ２７２に記憶させる各種プログラムを適宜選定することにより、ＣＰＵ２７０を当該ポータルサーバ３の制御部５０、通信制御部５２及び認証処理部５６と同様に機能させることができると共に、ハードディスクドライブ２７２をそのポータルサーバ３の顧客データベース部５４、ページ情報記憶部５５、認証情報記憶部５７、周波数情報記憶部５８及びＵＲＬ記憶部５９と同様に用いることができる。
【０３７６】
またかかるサーバでは、図５について上述した機能回路ブロックによるハードウェア構成の音楽データ配信サーバＳＶ１の機能に応じて、ＲＯＭ２７１又はハードディスクドライブ２７２に記憶させる各種プログラムを適宜選定することにより、ＣＰＵ２７０を当該音楽データ配信サーバＳＶ１の制御部７０、通信制御部７２、認証処理部７５及び検索部７９と同様に機能させることができると共に、ハードディスクドライブ２７２をその音楽データ配信サーバＳＶ１の顧客データベース部７４、ページ情報記憶部７６、認証情報記憶部７７及び音楽データ記憶部７８と同様に用いることができる。
【０３７７】
さらにかかるサーバでは、図６について上述した機能回路ブロックによるハードウェア構成の物販サーバＳＶ２の機能に応じて、ＲＯＭ２７１又はハードディスクドライブ２７２に記憶させる各種プログラムを適宜選定することにより、ＣＰＵ２７０を当該物販サーバＳＶ２の制御部９０、通信制御部９２、認証処理部９５及び検索部９９と同様に機能させることができると共に、ハードディスクドライブ２７２をその物販サーバＳＶ２の顧客データベース部９４、ページ情報記憶部９６、認証情報記憶部９７及びパッケージメディア情報記憶部９８と同様に用いることができる。
【０３７８】
さらにかかるサーバでは、図７について上述した機能回路ブロックによるハードウェア構成のラジオ放送情報配信サーバＳＶ３の機能に応じて、ＲＯＭ２７１又はハードディスクドライブ２７２に記憶させる各種プログラムを適宜選定することにより、ＣＰＵ２７０を当該ラジオ放送情報配信サーバＳＶ３の制御部１１０、通信制御部１１２、認証処理部１１５及び検索部１１８と同様に機能させることができると共に、ハードディスクドライブ２７２をそのラジオ放送情報配信サーバＳＶ３の顧客データベース部１１４、ページ情報記憶部１１６、オンエアリスト情報記憶部１１７、ナウオンエア情報記憶部１１９及び認証情報記憶部１２０と同様に用いることができる。
【０３７９】
このようにしてかかるサーバは、ＲＯＭ２７１又はハードディスクドライブ２７２に記憶させる各種プログラムを適宜選定することにより、図４乃至図７について上述した機能回路ブロックによるハードウェア構成のポータルサーバ３、音楽データ配信サーバＳＶ１、物販サーバＳＶ２、ラジオ放送情報配信サーバＳＶ３の何れの機能をも、ハードウェア回路ブロックによるハードウェア構成で実現することができる。
【０３８０】
なお上述の実施の形態においては、クライアント端末２が受信可能な放送としてラジオ局から放送されるラジオ放送を適用したが、これに限らず、クライアント端末２がテレビジョン用の放送局から放送されるテレビジョン放送を受信し、そのテレビジョン放送のテレビジョン番組に関する各種放送情報等をネットワークＮＴ上のサーバから取得することも可能である。
【０３８１】
また上述の実施の形態においては、ハードウェア回路ブロック、機能回路ブロック及びプログラムモジュールをクライアント端末２に実装した場合について述べたが、本発明はこれに限らず、これらを携帯電話機やパーソナルコンピュータ等、クライアント端末２以外の種々の端末に実装するようにしてもよく、これらハードウェア回路ブロック、機能回路ブロック及びプログラムモジュールを実装した端末であれば、上述したクライアント端末２と同様の処理を実現することができる。
【０３８２】
（２）音楽データ自動ダウンロードサービス
（２−１）サービス概要
ところで、図１に示す音楽関連サービス提供システム１は、音楽データ配信サーバＳＶ１からクライアント端末２へ音楽データを自動的にダウンロードさせる音楽データ自動ダウンロードサービスを提供し得るようになされている。
【０３８３】
まずクライアント端末２のユーザは、音楽データ自動ダウンロードサービスを利用するために、音楽データ配信サーバＳＶ１の運営業者と契約する。この場合この契約は、人気の高い音楽データをダウンロードさせる契約であるものとする。
【０３８４】
ところでこの運営業者の音楽データ配信サーバＳＶ１は、様々な音楽データをハードディスクドライブ２７２に記憶保持している。本実施の形態の場合、各音楽データには、それぞれを識別するための識別情報が割り当てられている。
【０３８５】
この音楽データ配信サーバＳＶ１は、図示しないその他のクライアント端末からの要求に応じて音楽データを提供するようにもなされており、その提供の履歴を音楽データ提供履歴情報としてハードディスクドライブ２７２に記憶保持しておく。なお、この音楽データ提供履歴情報については後で詳述する。
【０３８６】
そして音楽データ配信サーバＳＶ１は、記憶保持している音楽データ提供履歴情報に基づいて、所定のリストデータ生成処理を定期的に実行する。このリストデータ生成処理では、当該音楽データ提供履歴情報に基づいて提供回数の多い例えば上位５０曲の音楽データを認識し、当該認識した上位５０曲の音楽データの識別情報を示したリストデータ（以下、これを上位５０曲リストデータと呼ぶ）を生成し、これをハードディスクドライブ２７２に記憶保持する。かくして上位５０曲リストデータには、人気が高いと想定される５０曲の音楽データの識別情報が示されるようになされている。
【０３８７】
一方、かかる契約をしたユーザのクライアント端末２は、定期的にネットワークＮＴを介して音楽データ配信サーバＳＶ１と接続し、上位５０曲リストデータを要求するためのリスト要求信号を音楽データ配信サーバＳＶ１に対して送信する。
【０３８８】
音楽データ配信サーバＳＶ１は、クライアント端末２からのリスト要求信号に応じて、ハードディスクドライブ２７２に記憶保持している上位５０曲リストデータを読み出し、これをネットワークＮＴを介してクライアント端末２へ送信する。
【０３８９】
クライアント端末２は、既に自身のハードディスクドライブ２１１に記憶保持している音楽データの識別情報が示されたリストデータ（以下、これを所有音楽リストデータと呼ぶ）を予め生成してこれをハードディスクドライブ２１１に記憶しており、音楽データ配信サーバＳＶ１から上位５０曲リストデータを受信すると、記憶している所有音楽リストデータと受信した上位５０曲リストデータとを比較し、これにより上位５０曲リストデータに示されている音楽データであって自身のハードディスクドライブ２１１に記憶保持していない音楽データの識別情報を認識する。
【０３９０】
続いてクライアント端末２は、当該認識した音楽データの識別情報を示してなる音楽データ送信要求信号を音楽データ配信サーバＳＶ１に対して送信することにより、上位５０曲リストデータに示されている音楽データであって自身のハードディスクドライブ２１１に記憶保持していない音楽データを送信するように音楽データ配信サーバＳＶ１に対して要求する。
【０３９１】
音楽データ配信サーバＳＶ１は、クライアント端末２から音楽データ送信要求信号を受信すると、当該音楽データ送信要求信号に示されている識別情報を認識し、当該認識した識別情報に対応する音楽データをハードディスクドライブ２７２から読み出し、これをクライアント端末２に対して送信する。クライアント端末２は、音楽データ配信サーバＳＶ１から音楽データを受信すると、これをハードディスクドライブ２１１に記憶する。
【０３９２】
このようにしてかかる契約をしたユーザのクライアント端末２は、自身のハードディスクドライブ２１１に記憶保持していない音楽データのうち特に人気の高い音楽データを、音楽データ配信サーバＳＶ１から自動的にダウンロードすることができる。
【０３９３】
（２−２）音楽データ自動ダウンロード処理の詳細
実際上、クライアント端末２のハードディスクドライブ２１１には、図１７に示すユーザ情報ＩＮＦ１が記憶されており、このユーザ情報ＩＮＦ１においては、ユーザのユーザＩＤが示されたユーザＩＤ情報や、当該ユーザＩＤに対応するパスワードが示されたパスワード情報と共に、設定情報ＩＮＦ１ａが示される。
【０３９４】
この設定情報ＩＮＦ１ａには、クライアント端末２が音楽データ配信サーバＳＶ１に対して要求する上位５０曲リストデータを識別するためのリスト識別情報「リストデータ００１」と、上位５０曲リストデータを音楽データ配信サーバＳＶ１に対して要求する日時が示された要求日時情報「毎週水曜１２：００」とが示される。さらにこの設定情報ＩＮＦ１ａには、音楽データ配信サーバＳＶ１から音楽データをダウンロードする際の条件を示したダウンロード条件情報「アーティスト：モーニング姉妹を除く」が示される。
【０３９５】
またクライアント端末２のハードディスクドライブ２１１には、図１７に示す所有音楽データベースＤＢ１が構築されており、この所有音楽データベースＤＢ１には、音楽データ配信サーバＳＶ１からダウンロードする等して既に得られた複数の音楽データが格納されている。
【０３９６】
因みに本実施の形態の場合この音楽データは、その音楽データに割り当てられている識別情報と、その音楽データに付されたタイトル及びアーティスト名と、その音楽が再生される際に再生処理の対象となる再生データとを有する。
【０３９７】
そして、所有音楽データベースＤＢ１中の各音楽データの識別情報が全て示された所有音楽リストデータＬＤ１も、クライアント端末２のハードディスクドライブ２１１によって記憶保持されている。
【０３９８】
一方、音楽データ配信サーバＳＶ１のハードディスクドライブ２７２には、図１８に示すユーザ情報データベースＤＢ２が構築されており、このユーザ情報データベースＤＢ２には、音楽データ配信サーバＳＶ１の運営業者と契約したユーザの情報（以下、これを契約ユーザ情報と呼ぶ）ＩＮＦ２が格納されている。
【０３９９】
例えばクライアント端末２のユーザに対応する契約ユーザ情報ＩＮＦ２には、当該ユーザのユーザＩＤ情報及びパスワード情報に加えて、当該ユーザの契約内容を示した契約情報ＩＮＦ２ａや、当該ユーザのサービス利用履歴を示した利用履歴情報ＩＮＦ２ｂが示される。
【０４００】
この契約情報ＩＮＦ２ａには、当該ユーザに対して課金する際に必要となる情報（クレジットカード情報）や、当該ユーザの個人情報（住所、氏名、年齢、性別等）や、課金の方式が示された課金方式情報（月額固定２０００円）や、当該ユーザのクライアント端末２に対して提供するリストデータ（この場合、上位５０曲リストデータ）を識別するリスト識別情報「リストデータ００１」が示される。またかかる利用履歴情報ＩＮＦ２ｂには、ユーザのクライアント端末２によって既にダウンロードされた音楽データの識別情報や、そのダウンロード日時等が示される。
【０４０１】
さらに、音楽データ配信サーバＳＶ１のハードディスクドライブ２７２には、図１９に示すように、クライアント端末２等に提供する音楽データを複数格納した提供音楽データベースＤＢ３や、上位５０曲リストデータＬＤ２やその他のリストデータを格納したリストデータベースＤＢ４が構築されている。
【０４０２】
例えばこの上位５０曲リストデータＬＤ２には、そのリスト識別情報「リストデータ００１」と、当該上位５０曲リストデータＬＤ２を更新する日時を示した更新日時情報「毎週月曜０：００」と、当該上位５０曲リストデータＬＤ２を生成する際の条件を示したリスト生成条件情報「週間、邦楽、上位５０」と、音楽データ配信サーバＳＶ１による音楽データの提供においてその提供回数が多い上位５０曲の音楽データの識別情報とが示される。
【０４０３】
次に図２０に示すシーケンスチャートを用いて、クライアント端末２と音楽データ配信サーバＳＶ１との間で実行される音楽データ自動ダウンロード処理の手順ＲＴ１を説明する。
【０４０４】
クライアント端末２のＣＰＵ２０３は、設定情報ＩＮＦ１ａ（図１７）に示された要求日時情報「毎週水曜１２：００」に該当する日時になったことを認識するとステップＳＰ１０１へ移り、音楽データ配信サーバＳＶ１に対して通信接続を要求する接続要求信号を送信する。この接続要求信号には、ユーザのユーザＩＤ情報及びパスワード情報が示される。
【０４０５】
音楽データ配信サーバＳＶ１のＣＰＵ２７０は、クライアント端末２から接続要求信号を受信するとステップＳＰ１１１へ移り、当該接続要求信号に示されたユーザＩＤ情報及びパスワード情報に基づいて認証処理を実行し、その結果認証処理を正常に終了するとステップＳＰ１１２へ移り、通信接続を許可する旨を示した接続許可信号をクライアント端末２に対して送信する。
【０４０６】
クライアント端末２のＣＰＵ２０３は、音楽データ配信サーバＳＶ１から接続許可信号を受信するとステップＳＰ１０２へ移り、所定の接続処理を実行することにより音楽データ配信サーバＳＶ１との通信接続を確立する。
【０４０７】
続いてクライアント端末２のＣＰＵ２０３はステップＳＰ１０３へ移り、設定情報ＩＮＦ１ａに示されたリスト識別情報「リストデータ００１」を音楽データ配信サーバＳＶ１に対して送信することにより、上位５０曲リストデータＬＤ２を音楽データ配信サーバＳＶ１に対して要求する。
【０４０８】
音楽データ配信サーバＳＶ１のＣＰＵ２７０は、クライアント端末２からリスト識別情報「リストデータ００１」を受信するとステップＳＰ１１３へ移り、当該受信したリスト識別情報とユーザの契約情報ＩＮＦ２ａ（図１８）に示されたリスト識別情報とが一致するか否かを確認し、この確認の結果一致していることが確認できるとステップＳＰ１１４へ進んで、要求された上位５０曲リストデータＬＤ２をクライアント端末２に対して送信する。
【０４０９】
クライアント端末２のＣＰＵ２０３は、音楽データ配信サーバＳＶ１から上位５０曲リストデータＬＤ２を受信するとステップＳＰ１０４へ移り、この上位５０曲リストデータＬＤ２と所有音楽リストデータＬＤ１とを比較し、これにより上位５０曲リストデータＬＤ２に示されている音楽データであって自身のハードディスクドライブ２１１に記憶保持していない音楽データの識別情報を認識する。
【０４１０】
次いでクライアント端末２のＣＰＵ２０３はステップＳＰ１０５へ移り、当該認識した音楽データの識別情報を全て示した音楽データ送信要求信号を音楽データ配信サーバＳＶ１に対して送信することにより、上位５０曲リストデータＬＤ２に示されている音楽データであって自身のハードディスクドライブ２１１に記憶保持していない音楽データを送信するように音楽データ配信サーバＳＶ１に対して要求する。
【０４１１】
因みに本実施の形態の場合、このクライアント端末２のＣＰＵ２０３は、ステップＳＰ１０４で認識した音楽データの識別情報の全てを、音楽データ送信要求信号に示すようにしたが、これに限らず、この音楽データ送信要求信号の中から、ダウンロード条件情報「アーティスト：モーニング姉妹を除く」（図１７）に該当する音楽データの識別情報を除外するようにしても良い。
【０４１２】
音楽データ配信サーバＳＶ１のＣＰＵ２７０は、クライアント端末２から音楽データ送信要求信号を受信するとステップＳＰ１１５へ移り、当該音楽データ送信要求信号に示されている識別情報を認識して、当該認識した識別情報に対応する音楽データを提供音楽データベースＤＢ３から読み出し、続くステップＳＰ１１６において、当該読み出した音楽データをクライアント端末２に対して送信する。またこのとき音楽データ配信サーバＳＶ１のＣＰＵ２７０は、ユーザ情報データベースＤＢ２（図１８）にアクセスし、当該送信日時と当該送信した音楽データの識別情報とを、クライアント端末２のユーザの利用履歴情報ＩＮＦ２ｂ（図１８）に対して書き込むようになされている。
【０４１３】
クライアント端末２は、音楽データ配信サーバＳＶ１から音楽データを受信するとステップＳＰ１０６へ移り、これをハードディスクドライブ２１１に記憶する。
【０４１４】
この後クライアント端末２のＣＰＵ２０３はステップＳＰ１０７へ移り、音楽データ配信サーバＳＶ１との通信接続を切断することを要求する切断要求信号を音楽データ配信サーバＳＶ１に対して送信し、これに応じて音楽データ配信サーバＳＶ１のＣＰＵ２７０はステップＳＰ１１７へ移り、クライアント端末２との通信接続を切断する。
【０４１５】
次に図２０に示すフローチャートを用い、上位５０曲リストデータＬＤ２を更新する場合を一例として、リストデータ生成処理の手順ＲＴ２を説明する。
【０４１６】
音楽データ配信サーバＳＶ１のＣＰＵ２７０は、リストデータベースＤＢ４中の上位５０曲リストデータＬＤ２に示された更新日時情報「毎週月曜０：００」に該当する日時になったことを認識するとステップＳＰ１２１へ移り、当該上位５０曲リストデータＬＤ２に示されたリスト生成条件情報「週間、邦楽、上位５０」を認識する。
【０４１７】
続いて音楽データ配信サーバＳＶ１のＣＰＵ２７０はステップＳＰ１２２へ移り、ハードディスクドライブ２７２に記憶保持している音楽データ提供履歴情報に基づいて、かかるリスト生成条件情報「週間、邦楽、上位５０」に該当する音楽データの識別情報を認識する。
【０４１８】
ところで、本実施の形態の場合この音楽データ提供履歴情報は、音楽データ自動ダウンロードサービスの契約を結んでいる各ユーザの利用履歴情報ＩＮＦ２ｂ、……（図１８）の内容や、音楽データ自動ダウンロードサービスの契約を結んでいないユーザのクライアント端末（図示せず）に対して提供した結果が示されている。
【０４１９】
音楽データ配信サーバＳＶ１のＣＰＵ２７０は、上述のステップＳＰ１２２を実行することにより、最近１週間以内に提供された邦楽であって提供回数が上位５０位以上である音楽データの識別情報を全て認識するとステップＳＰ１２３へ移り、当該認識した音楽データの識別情報を過去の上位５０曲リストデータＬＤ２に上書きすることにより、新たな上位５０曲リストデータＬＤ２を生成する。
【０４２０】
そして音楽データ配信サーバＳＶ１のＣＰＵ２７０は次のステップＳＰ１２４へ移り、当該生成した新たな上位５０曲リストデータＬＤ２をリストデータベースＤＢ４に登録し直し、続く終了ステップＳＰ１２５へ移ってリストデータ生成処理を終了する。
【０４２１】
（２−３）動作及び効果
以上の構成においてこの音楽関連サービス提供システム１は、音楽データを提供する音楽データ配信サーバＳＶ１と、音楽データ配信サーバＳＶ１から音楽データを取得して記憶保持するクライアント端末２とを有する。
【０４２２】
この音楽データ配信サーバＳＶ１は、クライアント端末２に対して提供可能な音楽データであって人気の高いと想定される音楽データの識別情報が示された上位５０曲リストデータＬＤ２をクライアント端末２に対して送信する。
【０４２３】
クライアント端末２は、記憶保持している音楽データの識別情報が示された所有音楽リストデータＬＤ１と、音楽データ配信サーバＳＶ１からの上位５０曲リストデータＬＤ２とを比較することにより、上位５０曲リストデータＬＤ２に示されている音楽データであって自身のハードディスクドライブ２１１に記憶保持していない音楽データの識別情報を認識し、当該認識した識別情報に対応する音楽データを音楽データ配信サーバＳＶ１から自動的に取得する。
【０４２４】
以上の構成によれば、このクライアント端末２は、未だ取得していない音楽データであって特に人気の高い音楽データのみを、ユーザに何ら操作をさせることなく音楽データ配信サーバＳＶ１から取得することができるので、この結果、従来と比して格段と効率的に音楽データを取得することができる。
【０４２５】
またこの構成によれば、音楽データ配信サーバＳＶ１から音楽データをダウンロードしたいがその作業をする時間がないユーザや、煩雑なダウンロード操作を敬遠してダウンロードサービスを利用しなくなってしまったユーザや、ダウンロードする音楽データの１つ１つに代金が課されていたためダウンロードをためらっていたユーザ等の潜在需要を掘り起こすことができ、この結果、音楽データ配信サーバＳＶ１を利用するユーザの増加やダウンロード数の増加が期待できる。
【０４２６】
また本実施の形態において、クライアント端末２は、音楽データ配信サーバＳＶ１から上位５０曲リストデータＬＤ２を取得した際、自身のハードディスクドライブ２１１に記憶保持されている音楽データであって、当該取得した上位５０曲リストデータＬＤ２に含まれていない音楽データの識別情報を認識し、当該認識した音楽データの識別情報（またはタイトル等）をディスプレイ２０６等に表示し、そしてユーザにより操作入力部２００を介してディスプレイ２０６に表示された音楽データのうちの幾つか又は全てが選択されたとき、当該選択された音楽データをハードディスクドライブ２１１から消去するようにしても良い。このようにすることにより、クライアント端末２のハードディスクドライブ２１１から、人気が低くなってしまった音楽データを容易に消去することができる。
【０４２７】
また本実施の形態において、クライアント端末２は、音楽データ配信サーバＳＶ１から上位５０曲リストデータＬＤ２を取得した際、自身のハードディスクドライブ２１１に記憶保持されている音楽データであって、当該取得した上位５０曲リストデータＬＤ２に含まれていない音楽データの識別情報を認識し、当該認識した識別情報に対応する音楽データをハードディスクドライブ２１１から自動的に消去するようにしても良い。このようにすることにより、クライアント端末２のハードディスクドライブ２１１から、人気が低くなってしまった音楽データを格段と容易に消去することができる。
【０４２８】
（２−４）他の実施の形態
なお上述の実施の形態においては、音楽データ配信サーバＳＶ１が、記憶保持している音楽データ提供履歴情報に基づいて、リスト生成条件情報「週間、邦楽、上位５０」に該当する音楽データの識別情報を認識し、この認識結果に基づいて上位５０曲リストデータＬＤ２を生成する場合について述べたが、本発明はこれに限らず、例えば、図１８に示すユーザ情報データベースＤＢ２中の契約情報ＩＮＦ２ａに示された個人情報等にも基づいて、４０歳代に人気がある音楽データの識別情報が示された４０代人気リストデータや、中学生以上に人気がある音楽データの識別情報が示された中学生人気リストデータや、関西地方で人気のある音楽データの識別情報が示された関西人気リストデータ等を生成するようにしても良い。
【０４２９】
またユーザは、音楽データ配信サーバＳＶ１から上位５０曲リストデータＬＤ２のみを取得するように契約するのではなく、その他のリストデータ（４０代人気リストデータ等）も合わせて取得し得るように契約するようにしても良い。また、クライアント端末２に対してユーザの嗜好を予め登録させておいた上で、クライアント端末２が当該嗜好にも基づいて音楽データ配信サーバＳＶ１から音楽データを自動的にダウンロードするようにしても良い。
【０４３０】
また上述の実施の形態においては、コンテンツデータとして、音楽データを適用する場合について述べたが、本発明はこれに限らず、例えば、映像データやゲームプログラム等を適用するようにしても良い。
【０４３１】
さらに上述の実施の形態においては、端末装置として、クライアント端末２を適用する場合について述べたが、本発明はこれに限らず、パーソナルコンピュータや携帯電話機等のこの他種々の情報処理装置を適用するようにしても良い。
【０４３２】
さらに上述の実施の形態においては、ユーザのユーザ情報ＩＮＦ１を含む接続要求情報（接続要求信号）を送信する接続要求手段や、提供コンテンツリストデータ（上位５０曲リストデータＬＤ２）を要求するためのリストデータ要求情報（リスト識別情報）を送信するリストデータ要求手段や、コンテンツデータを要求するためのコンテンツデータ要求情報（音楽データ送信要求信号）を送信するコンテンツデータ要求手段や、コンテンツデータを取得するコンテンツデータ取得手段として、クライアント端末２のＣＰＵ２０３の制御下で動作する通信処理部２１４及びネットワークインタフェース２１５を適用する場合について述べたが、本発明はこれに限らず、この他種々の構成を適用することができる。
【０４３３】
さらに上述の実施の形態においては、コンテンツデータ提供装置としての音楽データ配信サーバＳＶ１が、契約情報ＩＮＦ２ａ等が格納された第１のデータベース（ユーザ情報データベースＤＢ２）及びコンテンツデータが格納された第２のデータベース（提供音楽データベースＤＢ３）を保持する場合について述べたが、本発明はこれに限らず、これら第１のデータベース及び第２のデータベースを他の装置が保持するようにしても良い。
【０４３４】
さらに上述の実施の形態においては、提供コンテンツリストデータを作成するリストデータ作成手段や、認証結果情報（接続許可信号）を端末装置に対して返信する認証結果返信手段や、提供コンテンツリストデータを当該端末装置に対して送信するリストデータ送信手段や、コンテンツデータを提供するコンテンツデータ提供手段を、音楽データ配信サーバＳＶ１が有する場合について述べたが、本発明はこれに限らず、これら各手段をそれぞれ異なる装置が有するようにしても良い。
【０４３５】
さらに上述の実施の形態において、クライアント端末２のＣＰＵ２０３及び音楽データ配信サーバＳＶ１のＣＰＵ２７０は、それぞれに予めインストールされているプログラム（コンテンツデータ取得プログラム及びコンテンツデータ提供プログラム）に従って、音楽データ自動ダウンロード処理ＲＴ１及びリストデータ生成処理ＲＴ２を実行するようにしたが、本発明はこれに限らず、クライアント端末２及び音楽データ配信サーバＳＶ１が、音楽データ自動ダウンロード処理ＲＴ１及びリストデータ生成処理ＲＴ２を、ハードウェア的に実行するようにしても良い。
【産業上の利用可能性】
【０４３６】
本発明は、音楽データを提供する提供業者の音楽データ配信サーバから、インターネット等のネットワークを介して、ユーザの端末装置に対し音楽データを提供するようになされた音楽データ提供システム等に利用することができる。
【図面の簡単な説明】
【０４３７】
【図１】本実施の形態における音楽関連サービス提供システムの全体構成を示す略線図である。
【図２】クライアント端末の機能回路ブロックによるハードウェア構成を示すブロック図である。
【図３】ディレクトリ構成を示す略線図である。
【図４】ポータルサーバの機能回路ブロックによるハードウェア構成を示すブロック図である。
【図５】音楽データ配信サーバの機能回路ブロックによるハードウェア構成を示すブロック図である。
【図６】物販サーバの機能回路ブロックによるハードウェア構成を示すブロック図である。
【図７】ラジオ放送情報配信サーバの機能回路ブロックによるハードウェア構成を示すブロック図である。
【図８】クライアント端末及びポータルサーバ間のユーザ認証処理手順を示すシーケンスチャートである。
【図９】クライアント端末及び音楽データ配信サーバ間のユーザ認証処理手順を示すシーケンスチャートである。
【図１０】音楽データ配信サービス提供処理手順を示すシーケンスチャートである。
【図１１】物販サービス提供処理手順を示すシーケンスチャートである。
【図１２】ラジオ放送情報（オンエアリスト情報）配信サービス提供処理手順（１）を示すシーケンスチャートである。
【図１３】ラジオ放送情報（ナウオンエア情報）配信サービス提供処理手順（２）を示すシーケンスチャートである。
【図１４】クライアント端末のハードウェア回路ブロックによるハードウェア構成を示すブロック図である。
【図１５】クライアント端末のプログラムモジュールを示す略線図である。
【図１６】各サーバのハードウェア回路ブロックによるハードウェア構成を示すブロック図である。
【図１７】クライアント端末に記憶される情報及びデータを示す略線図である。
【図１８】音楽データ配信サーバに記憶される情報及びデータ（１）を示す略線図である。
【図１９】音楽データ配信サーバに記憶される情報及びデータ（２）を示す略線図である。
【図２０】音楽データ自動ダウンロード処理及びリストデータ生成処理の手順を示すシーケンスチャート及びフローチャートである。
【符号の説明】
【０４３８】
１……音楽関連サービス提供システム、２……クライアント端末、ＳＶ１……音楽データ配信サーバ、２０３、２７０……ＣＰＵ、２１１、２７２……ハードディスクドライブ、２１４……通信処理部、２１５、２７５……ネットワークインタフェース。
【図１】
2005332175.tif 000003
【図２】
2005332175.tif 000004
【図３】
2005332175.tif 000005
【図４】
2005332175.tif 000006
【図５】
2005332175.tif 000007
【図６】
2005332175.tif 000008
【図７】
2005332175.tif 000009
【図８】
2005332175.tif 000010
【図９】
2005332175.tif 000011
【図１０】
2005332175.tif 000012
【図１１】
2005332175.tif 000013
【図１２】
2005332175.tif 000014
【図１３】
2005332175.tif 000015
【図１４】
2005332175.tif 000016
【図１５】
2005332175.tif 000017
【図１６】
2005332175.tif 000018
【図１７】
2005332175.tif 000019
【図１８】
2005332175.tif 000020
【図１９】
2005332175.tif 000021
【図２０】
2005332175.tif 000022